(57)【要約】【課題】店を探したいユーザは、実際に店を使用した知り合い等による信憑性の高い口コミ情報を参照して所望の店を見つけることができ、他方、口コミ情報提供者はアフィリエイト報酬を得ることができるアフィリエイトシステム及びアフィリエイト方法並びにサーバの提供を目的とする。【解決手段】本発明は、サーバが、ユーザ用リーダライタ、第一携帯端末、第二携帯端末及び店用リーダライタがそれぞれ有する個体識別情報を相互に関連付けて記録することにより、来店者に対する口コミ情報提供者を特定し、この口コミ情報提供者に対してアフィリエイト報酬を支払うアフィリエイトシステム及びアフィリエイト方法並びにサーバである。【選択図】図１
2012093805.tif 000002
【特許請求の範囲】
【請求項１】
携帯可能なユーザ用リーダライタと、
上記ユーザ用リーダライタと無線により通信可能な第一携帯端末と、
上記ユーザ用リーダライタと無線により通信可能な第二携帯端末と、
店に設置され、上記第二携帯端末と無線により通信可能な店用リーダライタと、
上記第一携帯端末及び第二携帯端末と無線により通信可能なサーバと
を備えるアフィリエイトシステムであって、
上記サーバが、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録手段と、
上記第一の個体識別情報記録手段によって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録手段と、
上記第二携帯端末の個体識別情報と、この第二携帯端末が上記第一の口コミ情報記録手段によって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録手段と、
上記第二の個体識別情報記録手段によって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断手段と、
上記第二の個体識別情報記録手段によって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録手段と、
上記来店情報記録手段によって記録された上記第二携帯端末からの上記口コミ情報に対するアクセスが確認された場合に、上記第一の口コミ情報記録手段により記録された上記第一携帯端末の個体識別情報により特定されるユーザに対してアフィリエイト報酬支払手続を行う報酬支払手段と
を有するアフィリエイトシステム。
【請求項２】
上記第一の個体識別情報記録手段が、上記店用リーダライタの個体識別情報及び上記第一携帯端末の個体識別情報とともに、店に対して口コミ情報を入力するための入力画面情報を相互に関連付けて記録し、
上記第一の口コミ情報記録手段が、上記入力画面情報をもとに上記第一携帯端末に生成される入力画面に対する上記第一携帯端末からの入力情報に基づいた口コミ情報を受信する請求項１に記載のアフィリエイトシステム。
【請求項３】
上記サーバが、
店情報を記録する店情報記録手段と、
上記店情報と、上記第一の口コミ情報記録手段によって記録された一又は複数の口コミ情報とを相互に関連付けて記録する第二の口コミ情報記録手段と、
上記第二の口コミ情報記録手段によって記録された上記店情報及び上記一又は複数の口コミ情報を上記第一携帯端末及び上記第二携帯端末に送信する店情報送信手段とを有する請求項１又は請求項２に記載のアフィリエイトシステム。
【請求項４】
上記第一の個体識別情報記録手段が、上記店情報を上記第一携帯端末の個体識別情報及び上記店用リーダライタの個体識別情報と相互に関連付けて記録する請求項３に記載のアフィリエイトシステム。
【請求項５】
上記サーバが、クーポン情報を記録するクーポン情報記録手段を有し、
上記第一の個体識別情報記録手段が、上記クーポン情報を上記第一携帯端末の個体識別情報及び上記店用リーダライタの個体識別情報と相互に関連付けて記録する請求項１から請求項４のいずれか１項に記載のアフィリエイトシステム。
【請求項６】
上記来店情報記録手段が、上記第二携帯端末の個体識別情報及び上記店用リーダライタの個体識別情報を受信した上記第二携帯端末に対して上記店での清算金額情報を送信し、上記清算金額の認証情報を上記第二携帯端末から受信してこの認証情報を上記第二携帯端末の個体識別情報及び上記店用リーダライタの個体識別情報と相互に関連付けて記録し、
上記報酬支払手段が、上記来店情報記録手段によって記録された認証情報に対応したアフィリエイト報酬額を定める請求項１から請求項５のいずれか１項に記載のアフィリエイトシステム。
【請求項７】
携帯可能なユーザ用リーダライタと、
上記ユーザ用リーダライタと無線により通信可能な第一携帯端末と、
上記ユーザ用リーダライタと無線により通信可能な第二携帯端末と、
店に設置され、上記第二携帯端末と無線により通信可能な店用リーダライタと、
上記第一携帯端末及び第二携帯端末と無線により通信可能なサーバと
を備えるアフィリエイト方法であって、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録ステップと、
上記第一の個体識別情報記録ステップによって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録ステップと、
上記第二携帯端末の個体識別情報と、この第二携帯端末が上記第一の口コミ情報記録ステップによって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録ステップと、
上記第二の個体識別情報記録ステップによって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断ステップと、
上記第二の個体識別情報記録ステップによって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録ステップと、
上記来店情報記録ステップによって記録された上記第二携帯端末からの上記口コミ情報に対するアクセスが確認された場合に、上記第一の口コミ情報記録ステップにより記録された上記第一携帯端末の個体識別情報により特定されるユーザに対してアフィリエイト報酬支払手続を行う報酬支払ステップと
を有するアフィリエイト方法。
【請求項８】
携帯可能なユーザ用リーダライタと無線により通信可能な第一携帯端末と無線により通信することができるとともに、上記ユーザ用リーダライタ及び店用リーダライタと無線により通信可能な第二携帯端末と無線により通信することができるサーバであって、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録手段と、
上記第一の個体識別情報記録手段によって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録手段と、
上記第二携帯端末の個体識別情報と、この第二携帯端末が上記第一の口コミ情報記録手段によって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録手段と、
上記第二の個体識別情報記録手段によって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断手段と、
上記第二の個体識別情報記録手段によって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録手段と、
上記来店情報記録手段によって記録された上記第二携帯端末からの上記口コミ情報に対するアクセスが確認された場合に、上記第一の口コミ情報記録手段により記録された上記第一携帯端末の個体識別情報により特定されるユーザに対してアフィリエイト報酬支払手続を行う報酬支払手段と
を有するサーバ。
【発明の詳細な説明】
【技術分野】
【０００１】
本発明は、アフィリエイトシステム及びアフィリエイト方法並びにサーバに関する。
【背景技術】
【０００２】
今日、ショッピングや飲食等を行う店を探すにあたり、インターネット上で紹介される店情報を参考にすることがある。
【０００３】
このような店紹介システムとしては、例えば、来店誘導機能付き動画配信専門インターネット広告サイト等が発案されている（特開２００４−１０９９５８号公報参照）。
【０００４】
このインターネット広告サイトによれば、ユーザは、独力で入手できない情報等を、有人コールセンターを介して入手することができる。従って、このインターネット広告サイトを使用することで、ユーザは、店情報等をより幅広く参照することができる。
【０００５】
しかし、このようなシステムは、既存の情報をより多くユーザに提供することができるにとどまり、信憑性の高い情報を効率的にユーザに提供することはできない。すなわち、現在普及しているシステムは、店側から提供される情報をそのまま店情報としてユーザに提供するものが一般的である。それ故、このような情報には店側の思惑が絡んでいるのが普通であり、かかる情報を参照しても、ユーザが、この店の接客や提供される商品、飲食物等がどのようなものであるかを客観的に判断することはできない。また、このような弊害を解消するために、来店者のコメントを掲載しているようなサイトも存在するが、かかるコメントは、店関係者が来店者を装って記載する場合も考えられるので、情報源が定かとはいえず、信憑性に乏しい。
【０００６】
その結果、このような店紹介サイトが多数存在する現状においても、ユーザは、特に初めて訪れる土地等では、どの店に入るべきかなかなか決められないのが通常である。
【０００７】
従って、このような問題を解決するためには、情報源を実際に店で飲食等をした人に限定し、かかる情報源から得られた口コミ情報に基づいてユーザが所望の店を探すことができるのが好ましい。そして、このような情報源自体が、ユーザにとって信頼のおける人であることがさらに好ましい。
【０００８】
一方、このような口コミ情報を提供する者としては、口コミ情報を提供した相手が店で飲食等をすることによってアフィリエイト報酬を獲得することができるのであれば、口コミ情報を提供するためのインセンティブを得ることができる。
【０００９】
しかし、このようなアフィリエイトシステム及びアフィリエイト方法並びにサーバは現在のところ存在していない。
【先行技術文献】
【特許文献】
【００１０】
【特許文献１】特開２００４−１０９９５８号公報
【発明の概要】
【発明が解決しようとする課題】
【００１１】
本発明はこれらの不都合に鑑みてなされたものであり、店を探したいユーザは、実際に店を使用した知り合い等による信憑性の高い口コミ情報を参照して所望の店を見つけることができ、他方、この口コミ情報を提供した者はアフィリエイト報酬を得ることができるアフィリエイトシステム及びアフィリエイト方法並びにサーバの提供を目的とするものである。
【課題を解決するための手段】
【００１２】
上記課題を解決するためになされた発明は、
携帯可能なユーザ用リーダライタと、
上記ユーザ用リーダライタと無線により通信可能な第一携帯端末と、
上記ユーザ用リーダライタと無線により通信可能な第二携帯端末と、
店に設置され、上記第二携帯端末と無線により通信可能な店用リーダライタと、
上記第一携帯端末及び第二携帯端末と無線により通信可能なサーバと
を備えるアフィリエイトシステムであって、
上記サーバが、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録手段と、
上記第一の個体識別情報記録手段によって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録手段と、
上記第二携帯端末の個体識別情報と、この第二携帯端末が上記第一の口コミ情報記録手段によって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録手段と、
上記第二の個体識別情報記録手段によって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断手段と、
上記第二の個体識別情報記録手段によって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録手段と、
上記来店情報記録手段によって記録された上記第二携帯端末からの上記口コミ情報に対するアクセスが確認された場合に、上記第一の口コミ情報記録手段により記録された上記第一携帯端末の個体識別情報により特定されるユーザに対してアフィリエイト報酬支払手続を行う報酬支払手段と
を有するアフィリエイトシステムである。
【００１３】
当該アフィリエイトシステムは、第二携帯端末のユーザが、第二携帯端末とユーザ用リーダライタとの無線通信に基づいて第一携帯端末のユーザの口コミ情報を得ることができる。従って、当該アフィリエイトシステムは、第二携帯端末のユーザが、情報源の特定された口コミ情報を容易に取得することができる。また、当該アフィリエイトシステムは、実際に店を利用した第一携帯端末のユーザが口コミ情報の情報源となるので、信憑性の高い情報を得ることができる。当該アフィリエイトシステムは、実際に店を訪れた第二携帯端末のユーザに対して口コミ情報を提供した第一携帯端末のユーザにアフィリエイト報酬を支払うので、第一携帯端末のユーザに対して口コミ情報を提供するためのインセンティブを与えることができる。
【００１４】
上記第一の個体識別情報記録手段が、上記店用リーダライタの個体識別情報及び上記第一携帯端末の個体識別情報とともに、店に対して口コミ情報を入力するための入力画面情報を相互に関連付けて記録し、上記第一の口コミ情報記録手段が、上記入力画面情報をもとに上記第一携帯端末に生成される入力画面に対する上記第一携帯端末からの入力情報に基づいた口コミ情報を受信するとよい。これにより、第一携帯端末のユーザは、店に対する口コミ情報を容易に作成及び提供することができる。
【００１５】
上記サーバが、店情報を記録する店情報記録手段と、上記店情報と、上記第一の口コミ情報記録手段によって記録された一又は複数の口コミ情報とを相互に関連付けて記録する第二の口コミ情報記録手段と、上記第二の口コミ情報記録手段によって記録された上記店情報及び上記一又は複数の口コミ情報を上記第一携帯端末及び上記第二携帯端末に送信する店情報送信手段とを有するとよい。これにより、ユーザ用リーダライタと無線通信を行った第二携帯端末のユーザ以外でも、店情報及びこの店に関する第一携帯端末のユーザの口コミ情報を閲覧することができる。その結果、当該アフィリエイトシステムは、店側において、さらに効率的な店アピールを行うことができる。また、当該アフィリエイトシステムは、第一携帯端末又は第二携帯端末のユーザにとっても、信憑性の高い口コミ情報を容易かつ広範に参照することができる。
【００１６】
上記第一の個体識別情報記録手段が、上記店情報を上記第一携帯端末の個体識別情報及び上記店用リーダライタの個体識別情報と相互に関連付けて記録するとよい。これにより、第一携帯端末のユーザは、自分が訪れた店に関する店情報を容易に確認することができる。また、当該アフィリエイトシステムは、第一携帯端末のユーザが容易に店情報を参照しながら口コミ情報を作成することができるので、精度の高い口コミ情報を作成することができる。
【００１７】
上記サーバが、クーポン情報を記録するクーポン情報記録手段を有し、上記第一の個体識別情報記録手段が、上記クーポン情報を上記第一携帯端末の個体識別情報及び上記店用リーダライタの個体識別情報と相互に関連付けて記録するとよい。これにより、店に来店した第一携帯端末のユーザに固有のクーポン券を発券することができる。その結果、当該アフィリエイトシステムは、第一携帯端末のユーザの来店意識を高めることができるとともに、リピータの獲得率を向上させることができる。
【００１８】
上記来店情報記録手段が、上記第二携帯端末の個体識別情報及び上記店用リーダライタの個体識別情報を受信した上記第二携帯端末に対して上記店での清算金額情報を送信し、上記清算金額の認証情報を上記第二携帯端末から受信してこの認証情報を上記第二携帯端末の個体識別情報及び上記店用リーダライタの個体識別情報と相互に関連付けて記録し、上記報酬支払手段が、上記来店情報記録手段によって記録された認証情報に対応したアフィリエイト報酬額を定めるとよい。これにより、清算金額に対応して容易にアフィリエイト報酬額を決定することができる。
【００１９】
また、上記課題を解決するためになされた別の発明は、
携帯可能なユーザ用リーダライタと、
上記ユーザ用リーダライタと無線により通信可能な第一携帯端末と、
上記ユーザ用リーダライタと無線により通信可能な第二携帯端末と、
店に設置され、上記第二携帯端末と無線により通信可能な店用リーダライタと、
上記第一携帯端末及び第二携帯端末と無線により通信可能なサーバと
を備えるアフィリエイト方法であって、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録ステップと、
上記第一の個体識別情報記録ステップによって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録ステップと、
上記第二携帯端末の個体識別情報と、この第二携帯端末が上記第一の口コミ情報記録ステップによって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録ステップと、
上記第二の個体識別情報記録ステップによって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断ステップと、
上記第二の個体識別情報記録ステップによって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録ステップと、
上記来店情報記録ステップによって記録された上記第二携帯端末からの上記口コミ情報に対するアクセスが確認された場合に、上記第一の口コミ情報記録ステップにより記録された上記第一携帯端末の個体識別情報により特定されるユーザに対してアフィリエイト報酬支払手続を行う報酬支払ステップと
を有するアフィリエイト方法である。
【００２０】
当該アフィリエイト方法は、第二携帯端末のユーザが、第二携帯端末とユーザ用リーダライタとの無線通信に基づいて第一携帯端末のユーザの口コミ情報を得ることができる。従って、当該アフィリエイト方法は、第二携帯端末のユーザが、情報源の特定された口コミ情報を容易に取得することができる。また、当該アフィリエイト方法は、実際に店を利用した第一携帯端末のユーザが口コミ情報の情報源となるので、信憑性の高い情報を得ることができる。当該アフィリエイト方法は、実際に店を訪れた第二携帯端末のユーザに対して口コミ情報を提供した第一携帯端末のユーザにアフィリエイト報酬を支払うので、第一携帯端末のユーザに対して口コミ情報を提供するためのインセンティブを与えることができる。
【００２１】
さらに、上記課題を解決するためになされた別の発明は、
携帯可能なユーザ用リーダライタと無線により通信可能な第一携帯端末と無線により通信することができるとともに、上記ユーザ用リーダライタ及び店用リーダライタと無線により通信可能な第二携帯端末と無線により通信することができるサーバであって、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録手段と、
上記第一の個体識別情報記録手段によって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録手段と、
上記第二携帯端末の個体識別情報と、この第二携帯端末が上記第一の口コミ情報記録手段によって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録手段と、
上記第二の個体識別情報記録手段によって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断手段と、
上記第二の個体識別情報記録手段によって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録手段と、
上記来店情報記録手段によって記録された上記第二携帯端末からの上記口コミ情報に対するアクセスが確認された場合に、上記第一の口コミ情報記録手段により記録された上記第一携帯端末の個体識別情報により特定されるユーザに対してアフィリエイト報酬支払手続を行う報酬支払手段と
を有するサーバである。
【００２２】
当該サーバは、第二携帯端末とユーザ用リーダライタとの無線通信に基づいて、第一携帯端末のユーザの口コミ情報を第二携帯端末のユーザに提供することができる。従って、当該サーバは、第二携帯端末のユーザに対して、情報源の特定された口コミ情報を容易に提供することができる。また、当該サーバは、実際に店を利用した第一携帯端末のユーザを口コミ情報の情報源とするので、第二携帯端末のユーザに信憑性の高い情報を提供することができる。当該サーバは、実際に店を訪れた第二携帯端末のユーザに対して口コミ情報を提供した第一携帯端末のユーザに対してアフィリエイト報酬支払手続を行うので、第一携帯端末のユーザに対して口コミ情報を提供するためのインセンティブを与えることができる。
【発明の効果】
【００２３】
以上説明したように、本発明のアフィリエイトシステム及びアフィリエイト方法並びにサーバは、店を探したいユーザに対して、実際に店を使用した知り合い等による信憑性の高い口コミ情報を提供することができるとともに、このユーザに口コミ情報を提供した者に対してアフィリエイト報酬を支払うことができる。
【図面の簡単な説明】
【００２４】
【図１】本発明の一実施形態に係るアフィリエイトシステムを示す概略ブロック図である。
【図２】図１のアフィリエイトシステムにおける動作手順を示すフロー図である。
【図３】図１のアフィリエイトシステムの第一の個体識別情報記録ステップにおけるリーダライタＩＤ及び非接触ＩＣチップＩＤの関連づけの構成例を示す図である。
【図４】図１のアフィリエイトシステムの第二の個体識別情報記録ステップにおけるリーダライタＩＤ及び非接触ＩＣチップＩＤの関連づけの構成例を示す図である。
【図５】図１のアフィリエイトシステムとは異なる形態に係るアフィリエイトシステムを示す概略ブロック図である。
【図６】図５のアフィリエイトシステムにおける店ユーザに関する処理手順を示すフロー図である。
【図７】図５のアフィリエイトシステムのメニュー画面（店ユーザ用）の一例を示す図である。
【図８】図５のアフィリエイトシステムにおける画像登録及び削除画面の一例を示す図である。
【図９】図５のアフィリエイトシステムにおける店情報登録画面の一例を示す図である。
【図１０】図５のアフィリエイトシステムにおける店紹介画面の一例を示す図である。
【図１１】図５のアフィリエイトシステムにおけるクーポン紹介画面の一例を示す図である。
【図１２】図５のアフィリエイトシステムにおける第一ユーザ及び第二ユーザに関する処理手順を示すフロー図である。
【図１３】図５のアフィリエイトシステムにおけるメニュー画面（第一ユーザ及び第二ユーザ用）の一例を示す図である。
【図１４】図５のアフィリエイトシステムにおける来店店舗一覧画面及び口コミ情報登録画面の一例を示す図である。
【図１５】図５のアフィリエイトシステムにおける店検索画面の一例を示す図である。
【図１６】図５のアフィリエイトシステムにおけるプロフィール画面の一例を示す図である。
【図１７】図５のアフィリエイトシステムにおける行きつけの店一覧画面の一例を示す図である。
【図１８】図５のアフィリエイトシステムにおける行きつけの店画面の一例を示す図である。
【発明を実施するための形態】
【００２５】
以下、適宜図面を参照しつつ本発明の実施の形態を詳説する。
【００２６】
図１のアフィリエイトシステム１は、ネットワーク２と、第一ユーザ用リーダライタ３と、第二ユーザ用リーダライタ４と、店用リーダライタ５と、第一携帯端末６と、第二携帯端末７と、店用端末８と、サーバ９とを有している。アフィリエイトシステム１において、第一ユーザ用リーダライタ３及び第一携帯端末６は、来店後この店に対する口コミ情報を作成し、この口コミ情報を他のユーザに提供するユーザ（第一ユーザ）が保有するものである。第二ユーザ用リーダライタ４及び第二携帯端末７は、第一ユーザの口コミ情報を取得し、この口コミ情報に基づいて来店するユーザ（第二ユーザ）が保有するものである。また、店用リーダライタ５及び店用端末８は、店ユーザが保有するものである。店用リーダライタ５は、通常、店内に設置される。アフィリエイトシステム１では、実際には、第一ユーザ用リーダライタ３、第二ユーザ用リーダライタ４、店用リーダライタ５、第一携帯端末６、第二携帯端末７及び店用端末８は、複数存在している。しかし、図１では、煩雑さ回避のため、各１つについてのみ図示する。
【００２７】
ネットワーク２は、典型的にはインターネットである。ネットワーク２は、第一携帯端末６、第二携帯端末７、店用端末８とサーバ９とを接続可能に構成されている。ネットワーク２は、第一携帯端末６、第二携帯端末７、店用端末８及びサーバ９と直接接続されてもよく、通信基地局を介して接続されてもよい。第一携帯端末６、第二携帯端末７及び店用端末８は、ネットワーク２を介して、各々、サーバ９と無線通信を行うことができる。
【００２８】
第一ユーザ用リーダライタ３は、通信部１０と、通信制御部１１と、記憶部１２とを有している。第一ユーザ用リーダライタ３は、持ち運び容易な携帯用リーダライタであって、一般的には、扁平な直方体状に形成されている。第一ユーザ用リーダライタ３の大きさとしては、例えば、奥行及び幅が２．５ｃｍ〜４ｃｍ程度、高さが０．５ｃｍ〜２ｃｍ程度とされている。
【００２９】
通信部１０は、アンテナ（図示せず）を有している。通信部１０は、アンテナを介して第一携帯端末６、第二携帯端末７及び店用端末８との間で近距離無線通信を行う。通信部１０は、近距離無線通信を行った第一携帯端末６、第二携帯端末７又は店用端末８から非接触ＩＣチップＩＤを受信する。また、通信部１０は、暗号化された非接触ＩＣチップＩＤ及びリーダライタＩＤ、並びにサーバ９の所定のページに接続するための固有のＵＲＬ情報を、近距離無線通信を行った第一携帯端末６、第二携帯端末７又は店用端末８に送信する。
【００３０】
通信制御部１１は、第一携帯端末６、第二携帯端末７及び店用端末８との近距離無線通信を制御する。通信制御部１１は、第一携帯端末６、第二携帯端末７又は店用端末８から非接触ＩＣチップＩＤを受信すると、この非接触ＩＣチップＩＤと記憶部１２に格納されているリーダライタＩＤとを記憶部１２に格納されている乱数表に基づいて暗号化する。通信制御部１１は、暗号化された非接触ＩＣチップＩＤ、暗号化されたリーダライタＩＤ及び記憶部１２に格納されているサーバ９の所定のページに接続するための固有のＵＲＬ情報を近距離無線通信を行った第一携帯端末６、第二携帯端末７又は店用端末８側に送信する。第一ユーザ用リーダライタ３と、第一携帯端末６、第二携帯端末７又は店用端末８との近距離無線通信は、第一ユーザ用リーダライタ３が備える送信スイッチ（図示せず）が押されることにより実行される。当該アフィリエイトシステム１は、第一ユーザ用リーダライタ３と、第一携帯端末６、第二携帯端末７又は店用端末８とが無意識のうちに近接された場合でも、第一ユーザ用リーダライタ３の送信スイッチが押されない限り近距離無線通信が行われないので、セキュリティー性を向上させることができる。ただし、第一ユーザ用リーダライタ３と、第一携帯端末６、第二携帯端末７又は店用端末８との近距離無線通信は、必ずしも第一ユーザ用リーダライタ３が有する送信スイッチが押されることにより行われる必要はない。例えば、第一ユーザ用リーダライタ３が送信スイッチを有していない場合は、第一ユーザ用リーダライタ３と、第一携帯端末６、第二携帯端末７又は店用端末８とが近接されることにより、自動的に近距離無線通信が行われてもよい。
【００３１】
記憶部１２は、通信制御部１１が実行する動作プログラムや、この動作プログラムの処理に必要となるデータ等を記憶する。記憶部１２には、リーダライタＩＤ、乱数表及びこの乱数表に基づいてリーダライタＩＤと非接触ＩＣチップＩＤとを暗号化する暗号化プログラムが格納されている。また、記憶部１２には、サーバ９の所定のページに接続するための固有のＵＲＬ情報が格納されている。
【００３２】
第二ユーザ用リーダライタ４は、通信部１０と、通信制御部１１と、記憶部１２とを有している。通信部１０、通信制御部１１及び記憶部１２は、第一ユーザ用リーダライタ３と同様であるため、同一番号を付して説明を省略する。第二ユーザ用リーダライタ４の大きさは、特に限定されないが、一般的には第一ユーザ用リーダライタ３と同様の大きさとされている。
【００３３】
店用リーダライタ５は、通信部１０と、通信制御部１１と、記憶部１２とを有している。通信部１０、通信制御部１１及び記憶部１２は第一ユーザ用リーダライタ３及び第二ユーザ用リーダライタ４と同様であるため、同一番号を付して説明を省略する。店用リーダライタ５の大きさは、特に限定されないが、一般的には、第一ユーザ用リーダライタ３及び第二ユーザ用リーダライタ４と同様か又はそれ以上の大きさとされている。
【００３４】
第一携帯端末６は、通信部１３と、入力部１４と、表示部１５と、制御部１６と、記憶部１７とを有している。第一携帯端末６としては、市販の携帯電話機等を使用することができる。
【００３５】
通信部１３は、アンテナ（図示せず）を有している。通信部１３は、このアンテナを介して第一ユーザ用リーダライタ３、第二ユーザ用リーダライタ４及び店用リーダライタ５との間の近距離無線通信を行う。また、通信部１３は、アンテナを介してサーバ９とのネットワーク通信を行う。通信部１３は、第一ユーザ用リーダライタ３、第二ユーザ用リーダライタ４、店用リーダライタ５又はサーバ９から受信した信号を制御部１６に渡す。通信部１３は、制御部１６から受信した信号を第一ユーザ用リーダライタ３、第二ユーザ用リーダライタ４、店用リーダライタ５又はサーバ９に送信する。
【００３６】
入力部１４は、プッシュボタンやカーソルキー等の各種ボタンを有している。入力部１４は、第一ユーザからの入力によって、その入力内容に応じた操作信号を制御部１６に通知する。
【００３７】
表示部１５は、液晶その他の表示素子によって構成されている。表示部１５は、文字情報や映像・画像情報、操作・動作に係る種々の情報の表示を行う。
【００３８】
制御部１６は、通信制御手段１８と、非接触ＩＣチップ１９とを有している。
【００３９】
通信制御手段１８は、第一ユーザ用リーダライタ３、第二ユーザ用リーダライタ４及び店用リーダライタ５との近距離無線通信の制御を行う。通信制御手段１８は、非接触ＩＣチップ１９に格納されている非接触ＩＣチップＩＤを、近距離無線通信を行った第一ユーザ用リーダライタ３、第二ユーザ用リーダライタ４又は店用リーダライタ５に送信する。さらに、通信制御手段１８は、第一ユーザ用リーダライタ３、第二ユーザ用リーダライタ４又は店用リーダライタ５から送られる暗号化されたリーダライタＩＤ、暗号化された非接触ＩＣチップＩＤ及び所定のＵＲＬ情報を非接触ＩＣチップ１９に送信する。また、通信制御部２１は、サーバ９とのネットワーク通信を制御する。
【００４０】
非接触ＩＣチップ１９は、第一ユーザ用リーダライタ３、第二ユーザ用リーダライタ４又は店用リーダライタ５から所定の電磁波を受信することによって起動する。非接触ＩＣチップ１９は、固有の非接触ＩＣチップＩＤを有している。非接触ＩＣチップ１９は、第一ユーザ用リーダライタ３、第二ユーザ用リーダライタ４又は店用リーダライタ５との近距離無線通信により、非接触ＩＣチップＩＤを、この近距離無線通信を行った第一ユーザ用リーダライタ３、第二ユーザ用リーダライタ４又は店用リーダライタ５に送信する。非接触ＩＣチップ１９は、第一ユーザ用リーダライタ３、第二ユーザ用リーダライタ４又は店用リーダライタ５から、暗号化されたリーダライタＩＤ及び暗号化された非接触ＩＣチップＩＤ、並びにサーバ９の所定のページに接続するためのＵＲＬ情報を受け取ると、第一携帯端末６のブラウザを立ち上げる。非接触ＩＣチップ１９は、これらの暗号化されたリーダライタＩＤ及び暗号化された非接触ＩＣチップＩＤ、並びにサーバ９の所定のページへの接続ＵＲＬ情報を表示してサーバ９に接続する。非接触ＩＣチップ１９としては、例えば、フェリカ（登録商標）チップを挙げることができる。
【００４１】
記憶部１７は、制御部１６が実行する動作プログラムや、この動作プログラムの処理に必要となるデータ等を記憶する。
【００４２】
第二携帯端末７は、通信部１３と、入力部１４と、表示部１５と、制御部１６と、記憶部１７とを有している。通信部１３、入力部１４、表示部１５、制御部１６及び記憶部１７は、第一携帯端末６と同様であるため、同一番号を付して説明を省略する。
【００４３】
店用端末８は、通信部１３と、入力部１４と、表示部１５と、制御部１６と、記憶部１７とを有している。通信部１３、入力部１４、表示部１５、制御部１６及び記憶部１７は、第一携帯端末６及び第二携帯端末７と同様であるため、同一番号を付して説明を省略する。
【００４４】
サーバ９は、通信部２０と、制御部２１と、記憶部２２とを有している。サーバ９は、一つのコンピュータから構成されてもよく、複数のコンピュータから構成されてもよい。サーバ９は所定の入力装置等を備えていてもよい。
【００４５】
通信部２０は、ネットワーク２を介して、第一携帯端末６、第二携帯端末７及び店用端末８とのネットワーク通信を行う。通信部２０は、第一携帯端末６、第二携帯端末７又は店用端末８から送信される暗号化されたリーダライタＩＤ、暗号化された非接触ＩＣチップＩＤ及び所定のページへの接続ＵＲＬ情報等を受信する。通信部２０は、第一携帯端末６、第二携帯端末７又は店用端末８から受信した暗号化されたリーダライタＩＤ、暗号化された非接触ＩＣチップＩＤ、所定のページへの接続ＵＲＬ情報等を制御部２１に渡す。また、通信部２０は、制御部２１から受け取った信号を第一携帯端末６、第二携帯端末７又は店用端末８に送信する。
【００４６】
制御部２１は、通信制御手段２３と、個体識別情報記録手段２４と、口コミ情報記録手段２５と、アクセス判断手段２６と、来店情報記録手段２７と、報酬支払手段２８とを有している。
【００４７】
通信制御手段２３は、第一携帯端末６、第二携帯端末７及び店用端末８とサーバ９とのネットワーク通信を制御する。通信制御手段２３は、第一携帯端末６、第二携帯端末７又は店用端末８から送信される暗号化されたリーダライタＩＤと暗号化された非接触ＩＣチップＩＤとを復号化する。通信制御手段２３は、これらの復号化したＩＤと、事前に記憶部２２に記憶されているリーダライタＩＤ及び非接触ＩＣチップＩＤとを照合する。通信制御手段２３は、この照合結果を、近距離無線通信を行った第一携帯端末６、第二携帯端末７又は店用端末８に送信する。
【００４８】
個体識別情報記録手段２４は、第一携帯端末６の個体識別情報（本実施形態では、第一携帯端末６の非接触ＩＣチップＩＤ）と、第一携帯端末６が店用リーダライタ５との近距離無線通信によって受信する店用リーダライタ５の個体識別情報（本実施形態では、店用リーダライタ５のリーダライタＩＤ）とを第一携帯端末６から受信する。個体識別情報記録手段２４は、第一携帯端末６から受信した第一携帯端末６の非接触ＩＣチップＩＤ及び店用リーダライタ５のリーダライタＩＤを相互に関連付けて記憶部２２に格納する（第一の個体識別情報記録手段）。
【００４９】
また、個体識別情報記録手段２４は、第一携帯端末６の非接触ＩＣチップＩＤ及び店用リーダライタ５のリーダライタＩＤとともに、店に対して口コミ情報を入力するための入力画面情報を相互に関連付けて記憶部２２に格納する。この口コミ情報を入力するための入力画面情報としては、予め記憶部２２に格納されているものが使用される。
【００５０】
個体識別情報記録手段２４は、第二携帯端末７の個体識別情報（本実施形態では、第二携帯端末７の非接触ＩＣチップＩＤ）と、第二携帯端末７が第一ユーザ用リーダライタ３との近距離無線通信によって受信する第一ユーザ用リーダライタ３の個体識別情報（本実施形態では、第一ユーザ用リーダライタ３のリーダライタＩＤ）とを第二携帯端末７から受信する。個体識別情報記録手段２４は、第二携帯端末７から受信した第二携帯端末７の非接触ＩＣチップＩＤ及び第一ユーザ用リーダライタ３のリーダライタＩＤを相互に関連付けて記憶部２２に格納する。個体識別情報記録手段２４は、第二携帯端末７の非接触ＩＣチップＩＤと、口コミ情報記録手段２５により口コミ情報と相互に関連付けられた第一ユーザ用リーダライタ３のリーダライタＩＤを第二携帯端末７から受信し、相互に関連付けて記憶部２２に格納することで（第二の個体識別情報記録手段）、第二携帯端末７の非接触ＩＣチップＩＤ、第一ユーザ用リーダライタ３のリーダライタＩＤ及び口コミ情報を相互に関連付けることができる。
【００５１】
また、個体識別情報記録手段２４は、必要に応じて、第一携帯端末６の非接触ＩＣチップＩＤ及び第一ユーザ用リーダライタ３のリーダライタＩＤを相互に関連付けて記憶部２２に格納する。同様に、個体識別情報記録手段２４は、必要に応じて、第二携帯端末７の非接触ＩＣチップＩＤ及び第二ユーザ用リーダライタ４のリーダライタＩＤを相互に関連付けて記憶部２２に格納する。さらに、個体識別情報記録手段２４は、必要に応じて、店用端末８の非接触ＩＣチップＩＤ及び店用リーダライタ５のリーダライタＩＤを相互に関連付けて記憶部２２に格納する。
【００５２】
口コミ情報記録手段２５は、個体識別情報記録手段２４（第一の個体識別情報記録手段）によって記録された第一携帯端末６の非接触ＩＣチップＩＤと、第一携帯端末６が第一ユーザ用リーダライタ３と近距離無線通信することにより受信する第一ユーザ用リーダライタ３のリーダライタＩＤと、店に対する口コミ情報とを第一携帯端末６から受信する。口コミ情報記録手段は２５は、第一携帯端末６から受信した第一携帯端末６の非接触ＩＣチップＩＤ、第一ユーザ用リーダライタ３のリーダライタＩＤ及び口コミ情報を相互に関連付けて記憶部２２に格納する（第一の口コミ情報記録手段）。
【００５３】
口コミ情報記録手段２５によって記憶部２２に格納される口コミ情報は、個体識別情報記録手段２４により第一携帯端末６の非接触ＩＣチップＩＤと相互に関連付けられた入力画面情報をもとに作成することができる。具体的には、まず、第一ユーザは、第一携帯端末６と第一ユーザ用リーダライタ３との近距離無線通信に基づいて第一携帯端末６の表示部１５に口コミ情報を入力するための入力画面（図示せず）を表示させる。この入力画面は、個体識別情報記録手段２４により第一携帯端末６の非接触ＩＣチップＩＤと相互に関連付けられた入力画面情報に基づいて表示される。第一ユーザは、この入力画面に、プッシュボタン等を用いて所望の口コミ情報を入力する。第一ユーザは、この口コミ情報を無線通信によりサーバ９に送信する。サーバ９は、通信部２０によりこの口コミ情報を受信して、制御部２１（口コミ情報記録手段２５）に渡す。口コミ情報記録手段２５は、この口コミ情報を第一携帯端末６の非接触ＩＣチップＩＤ及び第一ユーザ用リーダライタ３のリーダライタＩＤと相互に関連付けて記憶部２２に格納する。
【００５４】
アクセス判断手段２６は、個体識別情報記録手段２４（第二の個体識別情報記録手段）によって非接触ＩＣチップＩＤを記録された第二携帯端末７から口コミ情報へのアクセス有無を判断する。具体的には、アクセス判断手段２６は、口コミ情報に対するアクセス履歴を、口コミ情報にアクセスした非接触ＩＣチップを記録することによって管理する。アクセス判断手段２６は、口コミ情報に対してアクセスした非接触ＩＣチップＩＤとして第二携帯端末７の非接触ＩＣチップＩＤが存在しているか否かを調べ、第二携帯端末７の非接触ＩＣチップＩＤが存在していた場合、第二携帯端末７からアクセスがあったものと判断する。
【００５５】
来店情報記録手段２７は、個体識別情報記録手段２４（第二の個体識別情報記録手段）によって記録された第二携帯端末７の非接触ＩＣチップＩＤと、第二携帯端末７が店用リーダライタ５と近距離無線通信することにより受信する店用リーダライタ５のリーダライタＩＤとを第二携帯端末７から受信する。来店情報記録手段２７は、第二携帯端末７から受信した第二携帯端末７の非接触ＩＣチップＩＤ及び店用リーダライタ５のリーダライタＩＤを相互に関連付けて記憶部２２に格納する。
【００５６】
報酬支払手段２８は、来店情報記録手段２７によって記録された第二携帯端末７から口コミ情報に対するアクセスが確認された場合に、口コミ情報記録手段２５（第一の口コミ情報記録手段）により記録された第一携帯端末６の非接触ＩＣチップＩＤにより特定される第一ユーザに対してアフィリエイト報酬支払手続を行う。具体的には、報酬支払手段２８は、アクセス判断手段２６によって、来店情報記録手段２７により記録された第二携帯端末７から口コミ情報へのアクセスが確認されると、第一の口コミ情報記録手段によってこの口コミ情報と相互に関連付けて記録されている非接触ＩＣチップＩＤを有する第一携帯端末６を特定する。報酬支払手段２８は、第一携帯端末６の非接触ＩＣチップＩＤにより特定される第一ユーザを、店に来店した第二ユーザに対する口コミ情報提供者であると判断し、第一ユーザに対してアフィリエイト報酬支払手続を行う。
【００５７】
記憶部２２は、制御部２１が実行する動作プログラムや、この動作プログラムの処理に必要となるデータ等を記憶する。記憶部２２には、リーダライタＩＤ、非接触ＩＣチップＩＤ、入力画面情報、口コミ情報等が格納される。また、記憶部２２には、暗号化されたリーダライタＩＤ及び暗号化された非接触ＩＣチップＩＤを復号化するための復号鍵が格納される。
【００５８】
次に、図２〜図４を参照して、当該アフィリエイトシステム１の動作手順について説明する。
【００５９】
第一の個体識別情報記録ステップ（ＳＴＰ１）は、第一携帯端末６の非接触ＩＣチップＩＤと、第一携帯端末６が店用リーダライタ５と近距離無線通信することにより受信する店用リーダライタ５のリーダライタＩＤとを第一携帯端末６から受信し、受信した第一携帯端末６の非接触ＩＣチップＩＤ及び店用リーダライタ５のリーダライタＩＤを相互に関連付けて記憶部２２に格納するステップである。ＳＴＰ１は、個体識別情報記録手段２４により行われる。ＳＴＰ１は、第一携帯端末６と店用リーダライタ５との近距離無線通信を起点として行われる。第一携帯端末６と店用リーダライタ５との近距離無線通得信は、第一ユーザが店に訪れた際に行われる。第一携帯端末６と店用リーダライタ５との近距離無線通信は、第一ユーザが店で飲食や買い物等を行った後に行われることが好ましい。第一ユーザは、店で飲食や買い物等を行った後に、この店に設置されている店用リーダライタ５と自身が保有する第一携帯端末６とを近接させ、店用リーダライタ５の送信スイッチを押す。店用リーダライタ５は、これを受けて所定の電磁波を輻射する。第一携帯端末６は、非接触ＩＣチップ１９によってこの電磁波を受信すると、店用リーダライタ５に対して非接触ＩＣチップＩＤを送信する。店用リーダライタ５は、第一携帯端末６から非接触ＩＣチップＩＤを受信すると、記憶部１２に格納されているリーダライタＩＤ及び受信した非接触ＩＣチップＩＤを、記憶部１２に格納されている乱数表に基づき暗号化したうえで、第一携帯端末６の非接触ＩＣチップ１９に送信する。また、店用リーダライタ５は、暗号化された非接触ＩＣチップＩＤ及び暗号化されたリーダライタＩＤとともに、所定のページへの接続ＵＲＬ情報を第一携帯端末６の非接触ＩＣチップ１９に送信する。第一携帯端末６の非接触ＩＣチップ１９は、暗号化された非接触ＩＣチップＩＤ、暗号化されたリーダライタＩＤ及び所定のページへの接続ＵＲＬ情報を受信すると、第一携帯端末６のブラウザを立ち上げる。第一携帯端末６の非接触ＩＣチップ１９は、暗号化されたリーダライタＩＤ及び暗号化された非接触ＩＣチップＩＤ、並びにサーバ９の所定のページへの接続ＵＲＬ情報を表示してサーバ９に接続する。サーバ９は、第一携帯端末６の非接触ＩＣチップＩＤ及び店用リーダライタ５のリーダライタＩＤを受信すると、これらのＩＤを復号化したうえ、個体識別情報記録手段２３により、これらのＩＤを相互に関連付けて記憶部２２に格納する。さらに、個体識別情報記録手段２３は、第一携帯端末６の非接触ＩＣチップＩＤ及び店用リーダライタ５のリーダライタＩＤとともに、店に対して口コミ情報を入力するための入力画面情報を相互に関連付けて記憶部２２に格納する。なお、この入力画面情報は、予め記憶部２２に格納されているものが使用される。
【００６０】
図３は、ＳＴＰ１に関し、左側の列に店用リーダライラタ５のリーダライタＩＤが格納され、中央の列に第一携帯端末６の非接触ＩＣチップＩＤが格納され、右側の列に入力画面情報が格納された構成例を示している。図３では、店用リーダライタ５のリーダライタＩＤ、第一携帯端末６の非接触ＩＣチップＩＤ及び入力画面情報が、各行毎に関連付けられて記憶部２２に格納されている。
【００６１】
第一の口コミ情報記録ステップ（ＳＴＰ２）は、ＳＴＰ１によって記録された第一携帯端末６の非接触ＩＣチップＩＤと、第一携帯端末６が第一ユーザ用リーダライタ３と近距離無線通信することにより受信する第一ユーザ用リーダライタ３のリーダライタＩＤと、店に対する口コミ情報とを第一携帯端末６から受信し、受信した第一携帯端末６の非接触ＩＣチップＩＤ、第一ユーザ用リーダライタ３のリーダライタＩＤ及び口コミ情報を相互に関連付けて記憶部２２に格納するステップである。ＳＴＰ２は、口コミ情報記録手段２５により行われる。ＳＴＰ２は、第一携帯端末６と第一ユーザ用リーダライタ３との近距離無線通信を起点として行われる。第一携帯端末６及び第一ユーザ用リーダライタ３の近距離無線通信は、ＳＴＰ１で行われる第一携帯端末６と店用リーダライタ５との近距離無線通信と同様の手順で行われる。また、ＳＴＰ２で記憶部２２に格納される口コミ情報は、ＳＴＰ１により第一携帯端末６の非接触ＩＣチップＩＤと相互に関連付けられた入力画面情報をもとに以下の手順で作成される。まず、第一ユーザは、ＳＴＰ１で第一携帯端末６の非接触ＩＣチップＩＤと相互に関連付けられた入力画面情報に基づき、第一携帯端末６の表示部１５に口コミ情報を入力するための入力画面を表示させる。この入力画面は、第一携帯端末６と第一ユーザ用リーダライタ３との近距離無線通信に基づいて接続される所定のページを介して表示部１５に表示させることができる他、所定のブックマークを使用することで表示させることもできる。第一ユーザは、この入力画面に、プッシュボタン等を用いて所望の口コミ情報を入力しする。第一ユーザは、この入力画面に入力された口コミ情報をサーバ９に送信する。サーバ９は、この口コミ情報を通信部２０によって受信し、制御部２１（口コミ情報記録手段２５）に渡す。口コミ情報記録手段２５は、この口コミ情報を受け取ると、第一携帯端末６の非接触ＩＣチップＩＤ及び第一ユーザ用リーダライタ３のリーダライタＩＤと相互に関連付けて記憶部２２に格納する。
【００６２】
第二の個体識別情報記録ステップ（ＳＴＰ３）は、第二携帯端末７の非接触ＩＣチップＩＤと、第二携帯端末７がＳＴＰ２によりリーダライタＩＤを記録された第一ユーザ用リーダライタ３と近距離無線通信を行うことによって受信する第一ユーザ用リーダライタ３のリーダライタＩＤとを第二携帯端末得７から受信し、受信した第二携帯端末７の非接触ＩＣチップＩＤ及び第一ユーザ用リーダライタ３のリーダライタＩＤを相互に関連付けて記憶部２２に格納するステップである。ＳＴＰ３は、個体識別情報記録手段２３により行われる。ＳＴＰ３は、第二携帯端末７と第一ユーザ用リーダライタ３との近距離無線通信を起点として行われる。第二携帯端末７及び第一ユーザ用リーダライタ３の近距離無線通信は、ＳＴＰ１で行われる第一携帯端末６と店用リーダライタ５との近距離無線通信と同様の手順で行われる。個体識別情報記録手段２３は、第二携帯端末７から、第二携帯端末７の非接触ＩＣチップＩＤ及び第一ユーザ用リーダライタ３のリーダライタＩＤを受信すると、受信した第二携帯端末７の非接触ＩＣチップＩＤ及び第一ユーザ用リーダライタ３のリーダライタＩＤを相互に関連付けて記憶部２２に格納する。
【００６３】
図４は、ＳＴＰ３に関して、左側の列に第一ユーザ用リーダライタ３のリーダライタＩＤが格納され、右側の列に第二携帯端末７の非接触ＩＣチップＩＤが格納された構成例を示している。図４では、第一ユーザ用リーダライタ３のリーダライタＩＤと第二携帯端末７の非接触ＩＣチップＩＤとが、各行毎に関連付けられて記憶部２２に格納されている。  なお、ＳＴＰ２では第一携帯端末６の非接触ＩＣチップＩＤ、第一ユーザ用リーダライタ３のリーダライタＩＤ及び口コミ情報が相互に関連付けられて記録部２２に格納されている。従って、ＳＴＰ３により、第二携帯端末７の非接触ＩＣチップＩＤは、第一ユーザ用リーダライタ３のリーダライタＩＤとともに、このリーダライタＩＤと相互に関連付けられている店用リーダライタ５のリーダライタＩＤ及びこの店に対する口コミ情報とも相互に関連付けられることになる。
【００６４】
アクセス判断ステップ（ＳＴＰ４）は、ＳＴＰ３によって記録された第二携帯端末７から口コミ情報へのアクセス履歴を第二携帯端末７の非接触ＩＣチップＩＤを用いて管理することにより、第二携帯端末７から口コミ情報へのアクセスの有無を判断するステップである。ＳＴＰ４は、アクセス判断手段２６によって行われる。アクセス判断手段２６は、口コミ情報にアクセスした非接触ＩＣチップＩＤを記録することによって口コミ情報に対するアクセス履歴を管理する。アクセス判断手段２６は、口コミ情報に対してアクセスした非接触ＩＣチップＩＤとして第二携帯端末７の非接触ＩＣチップＩＤが存在しているか否かを調べ、第二携帯端末７の非接触ＩＣチップＩＤが存在していた場合、第二携帯端末７からアクセスがあったものと判断する。
【００６５】
来店情報記録ステップ（ＳＴＰ５）は、ＳＴＰ３によって記録された第二携帯端末７の非接触ＩＣチップＩＤと、第二携帯端末７が店用リーダライタ５と近距離無線通信することにより受信する店用リーダライタ５のリーダライタＩＤとを第二携帯端末７から受信し、受信した第二携帯端末７の非接触ＩＣチップＩＤ及び店用リーダライタ５のリーダライタＩＤを相互に関連付けて記憶部２２に格納するステップである。ＳＴＰ５は、来店情報記録手段２７によって行われる。ＳＴＰ５は、第二携帯端末７と店用リーダライタ５との近距離無線通信を起点として行われる。第二携帯端末７と店用リーダライタ５との近距離無線通信は、ＳＴＰ１で行われる第一携帯端末６と店用リーダライタ５との近距離無線通信と同様の手順で行われる。来店情報記録手段２７は、第二携帯端末７から、ＳＴＰ３によって記録された第二携帯端末７の非接触ＩＣチップＩＤと、店用リーダライタ５のリーダライタＩＤとを受信すると、受信した第二携帯端末７の非接触ＩＣチップＩＤ及び店用リーダライタ５のリーダライタＩＤを相互に関連付けて記憶部２２に格納する。
【００６６】
なお、当該アフィリエイトシステム１では、通常、ＳＴＰ５とＳＴＰ１とが同時に行われる。すなわち、当該アフィリエイトシステム１は、店に訪れた第二ユーザが、自ら保有する第二携帯端末４と店用リーダライタ５とを近距離無線通信させることにより、サーバ９に来店情報を記録するとともに、口コミ情報を入力するための入力画面情報を第二携帯端末７の非接触ＩＣチップＩＤ及び店用リーダライタ５のリーダライタＩＤと相互に関連付けて記録する。従って、当該アフィリエイトシステム１によると、第二ユーザは、第二携帯端末７と店用リーダライタ３とを近距離無線通信させることにより、第一ユーザと同様、アフィリエイタとして振る舞うことができる。
【００６７】
報酬支払ステップ（ＳＴＰ６）は、ＳＴＰ５によって記録された第二携帯端末７から口コミ情報に対するアクセスが確認された場合に、ＳＴＰ２により記録された第一携帯端末６の非接触ＩＣチップＩＤにより特定される第一ユーザに対してアフィリエイト報酬支払手続を行うステップである。ＳＴＰ６は、報酬支払手段２８により行われる。報酬支払手段２８は、アクセス判断手段２６によって、来店情報記録手段２７により記録された第二携帯端末７から口コミ情報へのアクセスが確認されると、第一の口コミ情報記録手段によってこの口コミ情報と相互に関連付けて記録されている非接触ＩＣチップＩＤを有する第一携帯端末６を特定する。報酬支払手段２８は、第一携帯端末６の非接触ＩＣチップＩＤにより特定される第一ユーザを、店に来店した第二ユーザに対する口コミ情報提供者であると判断し、第一ユーザに対してアフィリエイト報酬支払手続を行う。なお、第二携帯端末７から口コミ情報に対するアクセスは、ＳＴＰ５より前の段階で行われている必要がある。第二携帯端末７から口コミ情報に対するアクセス時期を特定するため、ＳＴＰ４及びＳＴＰ５では、必要に応じてアクセス時期を特定するための時間情報が記録される。
【００６８】
ＳＴＰ６は、通常、定期的（例えば、１回／月）に行われる。報酬支払手段２８は、第二ユーザに対して口コミ情報を提供した第一ユーザを割り出すと、店ユーザに対して予め決められた金額の徴収手続を行うとともに、第一ユーザに対して予め決められたレートに基づいたアフィリエイト報酬支払手続を行う。第二ユーザに対して複数の第一ユーザが口コミ情報を提供していた場合、報酬支払手段２８は、これらの第一ユーザ全員に対してアフィリエイト報酬支払手続を行ってもよく、例えば直近の口コミ情報提供者等、所定の第一ユーザにのみ報酬支払手続を行ってもよい。また、報酬支払手段２８は、第二ユーザが複数回店に訪れていた場合、第一ユーザに対し、第二ユーザの来店回数に対応したアフィリエイト報酬支払手続を行ってもよい。当該アフィリエイトシステム１は、第二ユーザの来店回数に応じたアフィリエイト報酬支払手続を行うようにすれば、口コミ情報提供に対する第一ユーザのインセンティブを向上させることができる。
【００６９】
当該アフィリエイトシステム１は、第二ユーザが、第二携帯端末７と第一ユーザ用リーダライタ３との無線通信に基づいて第一ユーザの口コミ情報を得ることができる。従って、当該アフィリエイトシステム１は、第二ユーザが、情報源の特定された口コミ情報を容易に取得することができる。また、当該アフィリエイトシステム１は、実際に店を利用した第一ユーザが口コミ情報の情報源となるので、信憑性の高い情報を得ることができる。当該アフィリエイトシステム１は、実際に店を訪れた第二ユーザに対して口コミ情報を提供した第一ユーザにアフィリエイト報酬を支払うので、第一ユーザに対して口コミ情報を提供するためのインセンティブを与えることができる。
【００７０】
当該アフィリエイトシステム１は、店ユーザが広告効果を向上させるためには、第一ユーザの評価を高める必要があるので、店ユーザの自助努力を向上させることができる。
【００７１】
当該アフィリエイトシステム１は、個体識別情報記録手段２３が、第一携帯端末６の非接触ＩＣチップＩＤ及び店用リーダライタ５のリーダライタＩＤとともに、店に対して口コミ情報を入力するための入力画面情報を相互に関連付けて記憶部２２に格納することにより、第一ユーザによる店に対する口コミ情報作成作業を容易化することができる。また、当該アフィリエイトシステム１は、口コミ情報記録手段２５が、入力画面情報をもとに第一携帯端末６に生成される入力画面に対する第一携帯端末６からの入力情報に基づいた口コミ情報を記憶部２２に格納することにより、第一ユーザによる口コミ情報提供作業を容易化することができる。
【００７２】
なお、当該アフィリエイトシステム１は、必ずしもＳＴＰ２において、第一携帯端末６の非接触ＩＣチップＩＤ及び店用リーダライタ５のリーダライタＩＤと、店に対して口コミ情報を入力するための入力画面情報とを相互に関連付けて記憶部２２に格納する必要はない。当該アフィリエイトシステム１は、例えば、第一携帯端末６から接続可能な所定のページに口コミ情報を入力するための入力画面を作成しておき、この入力画面を介してＳＴＰ１により記録された第一携帯端末６からサーバ９に送信される口コミ情報のみを受け付けるようにしてもよい。
【００７３】
また、当該アフィリエイトシステム１は、個体識別情報として必ずしも非接触ＩＣチップＩＤ及びリーダライタＩＤを使用する必要はなく、例えば、ＩＰアドレスや、任意に設定した固有のＩＤ等、種々の識別情報を用いることができる。
【００７４】
図５のアフィリエイトシステム３１は、ネットワーク２と、第一ユーザ用リーダライタ３と、第二ユーザ用リーダライタ４と、店用リーダライタ５と、第一携帯端末６と、第二携帯端末７と、店用端末８と、サーバ３２とを有している。アフィリエイトシステム３１では、実際には、第一ユーザ用リーダライタ３、第二ユーザ用リーダライタ４、店用リーダライタ５、第一携帯端末６、第二携帯端末７及び店用端末８は、複数存在している。しかし、図５では、煩雑さ回避のため、各１つについてのみ図示する。また、アフィリエイトシステム３１に関し、図１のアフィリエイトシステム１と同様の構成については、同一番号を付して適宜説明を省略する。
【００７５】
サーバ３２は、通信部２０と、制御部３３と、記憶部２２とを有している。制御部３３は、通信制御手段２３と、個体識別情報記録手段３４と、口コミ情報記録手段３５と、アクセス判断手段２６と、来店情報記録手段３６と、報酬支払手段３７と、店情報記録手段３８と、クーポン情報記録手段３９とを有している。
【００７６】
個体識別情報記録手段３４は、個体識別情報記録手段２４が行う処理に加え、店情報記録手段３８により記憶部２２に格納される店情報を、第一携帯端末６の非接触ＩＣチップＩＤ及び店用リーダライタ５のリーダライタＩＤと相互に関連付けて記憶部２２に格納する。また、個体識別情報記録手段３４は、クーポン情報記録手段３９により記憶部２２に格納されるクーポン情報を、第一携帯端末６の非接触ＩＣチップＩＤ及び店用リーダライタ５のリーダライタＩＤと相互に関連付けて記憶部２２に格納する。具体的には、個体識別情報記録手段３４は、第一携帯端末６の非接触ＩＣチップＩＤと、第一携帯端末６が店用リーダライタ５と近距離無線通信することにより受信する店用リーダライタ５のリーダライタＩＤとを第一携帯端末６から受信する。個体識別情報記録手段３４は、受信した第一携帯端末６の非接触ＩＣチップＩＤ及び店用リーダライタ５のリーダライタＩＤを、店情報記録手段３８によって記憶部２２に格納される店情報、並びにクーポン情報記録手段３９によって記憶部２２に格納されるクーポン情報と相互に関連付けて記憶部２２に格納する。
【００７７】
また、個体識別情報記録手段３４は、第一携帯端末６の非接触ＩＣチップＩＤ及び第一ユーザ用リーダライタ３のリーダライタＩＤを相互に関連付けて記憶部２２に格納する。個体識別情報記録手段３４は、第二携帯端末７の非接触ＩＣチップＩＤ及び第二ユーザ用リーダライタ４のリーダライタＩＤを相互に関連付けて記憶部２２に格納する。個体識別情報記録手段３４は、店用端末８の非接触ＩＣチップＩＤ及び店用リーダライタ５のリーダライタＩＤを相互に関連付けて記憶部２２に格納する。
【００７８】
口コミ情報記録手段３５は、口コミ情報記録手段２５が行う処理に加え、店情報記録手段３８によって記憶部２２に格納される店情報と、第一の口コミ情報記録手段によって記憶部２２に格納された一又は複数の口コミ情報とを相互に関連付けて記憶部２２に格納する。具体的には、まず、口コミ情報記録手段３５は、第一の口コミ情報記録手段によって記憶部２２に格納されている一又は複数の口コミ情報を店毎に整理する。続いて、口コミ情報記録手段３５は、店毎に整理されたこれらの口コミ情報を、店情報記録手段３８によって記憶部２２に格納されている、これらの口コミ情報に対応する店情報と相互に関連付けて記憶部２２に格納する（第二の口コミ情報記録手段）。
【００７９】
また、口コミ情報記録手段３５は、第二の口コミ情報記録手段により相互に関連付けて記録された店情報及び口コミ情報を、第一携帯端末６又は第二携帯端末７からの要求に応じて、要求を行った第一携帯端末６又は第二携帯端末７に送信する（店情報送信手段）。
【００８０】
来店情報記録手段３６は、来店情報記録手段２７が行う処理に加え、第二携帯端末７の非接触ＩＣチップＩＤ及び店用リーダライタ５のリーダライタＩＤを受信した第二携帯端末７に対し、第二ユーザが店で飲食や買い物等を行った清算金額情報を送信する。また、来店情報記録手段３６は、かかる清算金額に対する認証情報を第二携帯端末７から受信し、この認証情報を第二携帯端末７の非接触ＩＣチップＩＤ及び店用リーダライタ５のリーダライタＩＤと相互に関連付けて記憶部２２に格納する。具体的には、まず、第二ユーザが、店での飲食や買い物の後、店ユーザに対して店での精算要求を行う。これを受けて、店ユーザは、ポスレジ等の精算装置（図示せず）に清算金額を打ち込む。続いて、第二ユーザは、第二携帯端末７及び店用リーダライタ５の近距離無線通信を行う。来店情報記録手段３６は、第二携帯端末７及び店用リーダライタ５の近距離無線通信に基づき、第二携帯端末７から第二携帯端末６の非接触ＩＣチップＩＤ及び店用リーダライタ５のリーダライタＩＤを受信すると、精算装置で入力された清算金額を第二携帯端末７に送信する。さらに、来店情報記録手段３６は、第二携帯端末７からこの清算金額に対する認証情報を受信すると、この認証情報（清算金額情報）を第二携帯端末７の非接触ＩＣチップＩＤ及び店用リーダライタ５のリーダライタＩＤと相互に関連付けて記憶部２２に格納する。
【００８１】
報酬支払手段３７は、報酬支払手段２８が行う処理に加え、来店情報記録手段３６によって記録された認証情報に対応したアフィリエイト報酬額を定める。まず、報酬支払手段３７は、来店情報記録手段３６によって関連付けられた携帯端末７の非接触ＩＣチップＩＤ及び店用リーダライタ５のリーダライタＩＤを店毎に整理する。続いて、報酬支払手段３７は、店毎に所定期間内に飲食や買い物等を行った第二ユーザの清算金額をまとめる。さらに、報酬支払手段３７は、第二ユーザの清算金額に応じて予め定められたアフィリエイト報酬の支払手続を、第二ユーザに口コミ情報を提供した第一ユーザに対して行う。加えて、報酬支払手段３７は、店ユーザに対して、第二ユーザの清算金額に応じて予め決められた額の徴収手続を行う。
【００８２】
店情報記録手段３８は、店情報を記憶部２２に格納する。かかる店情報は、店用端末８からサーバ３２に送信されたものであってもよく、サーバ３２により直接入力されたものであってもよい。店情報は、通常、店用端末８の非接触ＩＣチップＩＤ及び店用リーダライタ５のリーダライタＩＤと相互に関連付けて記憶部２２に格納される。
【００８３】
クーポン情報記録部３９は、クーポン情報を記憶部２２に格納する。かかるクーポン情報は、店用端末８からサーバ３２に送信されたものであってもよく、サーバ３２によって直接入力されたものであってもよい。クーポン情報は、店用端末８の非接触ＩＣチップＩＤ及び店用リーダライタ５のリーダライタＩＤと相互に関連付けて記憶部２２に格納される。
【００８４】
図６〜図１１を参照して、第一携帯端末６、第二携帯端末７及び店用端末８に表示される画面を例示しつつ、当該アフィリエイトシステム３１の店ユーザ側からの動作手順を説明する。
【００８５】
店ＩＤ記録ステップ（ＳＴＰ１１）は、店用リーダライタ５が有するリーダライタＩＤと、店用端末８が有する非接触ＩＣチップＩＤとを相互に関連付けて記憶部２２に格納するステップである。ＳＴＰ１１は、個体識別情報記録手段３４によって行われる。ＳＴＰ１１は、個体識別情報記録手段３４が、店用端末８からの入力、送信操作等を介して、店用端末８の非接触ＩＣチップＩＤ及び店用リーダライタ５のリーダライタＩＤを受信して行われてもよく、また、店用端末８と店用リーダライタ５との通信を介さず、サーバ３２に入力されて行われてもよい。なお、ＳＴＰ１１は、当該アフィリエイトシステム３１における必須のステップでない。当該アフィリエイトシステム３１は、店用端末８の非接触ＩＣチップＩＤ及び店用リーダライタ５のリーダライタＩＤを相互に関連付けて記録しておくことにより、店用端末８及び店用リーダライタ５の近距離無線通信に基づき、店用端末８に図７のメニュー画面４１を容易に表示させることができる。
【００８６】
店情報記録ステップ（ＳＴＰ１２）は、サーバ３２に店情報を記録するステップである。ＳＴＰ１２は、店ユーザが店用端末８を用いて店情報を入力してサーバ３２に送信する他、その他所定の入力装置から店情報を入力してサーバ３２に送信することによっても行うことができる。
【００８７】
クーポン情報記録ステップ（ＳＴＰ１３）は、サーバ３２にクーポン情報を記録するステップである。ＳＴＰ１３は、ＳＴＰ１２同様、店ユーザが店用端末８を用いて店情報を入力してサーバ３２に送信する他、その他所定の入力装置から店情報を入力してサーバ３２に送信することによっても行うことができる。
【００８８】
ＳＴＰ１２及びＳＴＰ１３の動作手順を詳説する。以下の説明では、ＳＴＰ１１で店用端末８の非接触ＩＣチップＩＤ及び店用リーダライタ５のリーダライタＩＤが相互に関連付けて記憶部２２に格納されていることを前提とし、店用端末８及び店用リーダライタ５の近距離無線通信に基づいて店情報及びクーポン情報を記録する手順について説明する。
【００８９】
ＳＴＰ１２及びＳＴＰ１３は、店用端末８と店用リーダライタ５との近距離無線通信を起点として行われる。店ユーザは、店用端末８と店用リーダライタ５とを近接させて店用リーダライタ５の送信スイッチを押す。これを受けて店用リーダライタ５は所定の電磁波を輻射する。店用端末８は、非接触ＩＣチップ１９によってこの電磁波を受信し、店用リーダライタ５に対して非接触ＩＣチップＩＤを送信する。店用リーダライタ５は、店用端末８から非接触ＩＣチップＩＤを受信すると、記憶部１２に格納されている店用リーダライタ５のリーダライタＩＤ及び受信した非接触ＩＣチップＩＤを、記憶部１２に格納されている乱数表に基づき暗号化したうえ店用端末８に送信する。また、店用リーダライタ５は、これらの暗号化されたＩＤとともに、記憶部１２に格納されている、サーバ３２の所定のページに接続するためのＵＲＬを店用端末８に送信する。店用端末８は、非接触ＩＣチップ１９により、暗号化されたリーダライタＩＤ、暗号化された非接触ＩＣチップＩＤ及びサーバ３２の所定のページに接続するためのＵＲＬを受信すると、店用端末８のブラウザを立ち上げる。さらに、店用端末８は、サーバ３２の所定のページに接続するためのＵＲＬ並びに暗号化されたリーダライタＩＤ及び暗号化された非接触ＩＣチップＩＤを表示しサーバ３２に接続する。
【００９０】
サーバ３２は、これらの暗号化されたリーダライタＩＤ及び暗号化された非接触ＩＣチップＩＤを受信したうえで復号化し、所定の認証処理を行い店用端末８の表示部１５にメニュー画面４１を表示する。
【００９１】
図７のメニュー画面４１は、店紹介画面プレビュー部４２と、クーポン画面プレビュー部４３と、店紹介画面登録部４４と、画像登録・削除部４５とを有している。
【００９２】
店紹介画面プレビュー部４２は、作成済み店紹介画面７１を表示するためのリンクが貼られている。
【００９３】
クーポン画面プレビュー部４３は、作成済みクーポン紹介画面８１を表示するためのリンクが貼られている。
【００９４】
店紹介画面登録部４４は、店情報登録画面６１を表示ためのリンクが貼られている。
【００９５】
画像登録・削除部４５は、画像登録画面５１を表示するためのリンクが貼られている。
【００９６】
メニュー画面４１を介して行われる店情報記録手順及びクーポン情報記録手順について説明する。なお、この店情報記録手順を経て作成される店情報は、店紹介画面プレビュー部４２を選択することによって、図１０の店紹介画面７１として確認することができる。また、クーポン情報記録手順を経て作成されるクーポン情報は、クーポン画面プレビュー部４３を選択することによって、図１１のクーポン紹介画面８１として確認することができる。
【００９７】
図８（１）の画像登録画面５１は、画像登録・削除部４５を選択することで表示される画面である。画像登録画面５１は、画像登録部５２と、画像削除部５３とを有している。
【００９８】
画像登録部５２には、所定のＵＲＬへ接続するためのリンクが貼られている。店ユーザは、このＵＲＬに対してメールの添付資料として画像を送信することにより、所望の画像をサーバ３２の記憶部２２に格納する。
【００９９】
画像削除部５３は、店ユーザの選択により、サーバ３２に保存した画像を削除するための画像削除画面５４を表示する。
【０１００】
図８（２）の画像削除画面５４は、削除画像表示部５５と、削除画像選択部５６と、削除ボタン５７とを有している。
【０１０１】
削除画像表示部５５には、画像登録を経てサーバ３２に保存されている画像が表示される。
【０１０２】
削除画像選択部５６は、削除する画像を選択するためのチェック欄である。
【０１０３】
削除ボタン５７は、削除選択されている画像を削除するためのボタンである。
【０１０４】
図９の店情報登録画面６１は、店画像選択部６２と、文言設定部６３と、クーポン画像選択部６４と、クーポン文言設定部６５と、登録ボタン６６とを有している。
【０１０５】
店画像選択部６２は、店紹介画面７１において店画像表示部７２に表示される画像を選択するためのものである。店ユーザは、画像登録によってサーバ３２に保存されている所望の画像を選択して店画像選択部６２に入力することで店画像表示部７２に表示される画像を選択する。
【０１０６】
文言設定部６３は、店紹介画面７１において文言表示部７３に表示される内容を入力するためのものである。店ユーザは、文言設定部６３において店情報を入力又は選択することによって店の紹介、アピール等を行う。
【０１０７】
クーポン画像選択部６４は、クーポン紹介画面８１においてクーポン画像表示部８２に表示される画像を選択するためのものである。店ユーザは、画像登録によってサーバ３２に保存されている所望の画像を選択してクーポン画像選択部６４に入力することでクーポン画像表示部８２に表示される画像を選択する。
【０１０８】
クーポン文言設定部６５は、クーポン紹介画面８１においてクーポン文言表示部８３に表示される内容を入力するためのものである。店ユーザは、クーポン文言設定部６５においてクーポン情報を入力又は選択することによってクーポン内容の設定を行う。
【０１０９】
登録ボタン６６は、登録する店情報及びクーポン情報を確定し、サーバ３２の記憶部２２に格納するためのボタンである。登録ボタン６６により確定された店情報は、店情報記録手段３８により、店用端末８の非接触ＩＣチップＩＤ及び店用リーダライタ５のリーダライタＩＤと相互に関連付けられて記憶部２２に格納される。また、登録ボタン６６により確定されたクーポン情報は、クーポン情報記録手段３９により、店用端末８の非接触ＩＣチップＩＤ及び店用リーダライタ５のリーダライタＩＤと相互に関連付けられて記憶部２２に格納される。
【０１１０】
なお、当該アフィリエイトシステム３１は、一旦登録した店情報又はクーポン情報の変更についても、店紹介画面登録部４４を介して表示される店情報登録画面６１における入力、送信操作に基づいて行うことができる。
【０１１１】
口コミ情報記録ステップ（第二の口コミ情報記録ステップ）（ＳＴＰ１４）は、店情報と、第一の口コミ情報記録手段によって記録された一又は複数の口コミ情報とを相互に関連付けて記憶部２２に格納するステップである。ＳＴＰ１４は、口コミ情報記録手段３５によって行われる。口コミ情報記録手段３５は、第一の口コミ情報記録手段によって記憶部２２に格納されている一又は複数の口コミ情報を店毎に整理する。続いて、口コミ情報記録手段３５は、店毎に整理されたこれらの口コミ情報を、店情報記録手段３８によって記憶部２２に格納されている、これらの口コミ情報に対応する店情報と相互に関連付けて記憶部２２に格納する。
【０１１２】
店情報送信ステップ（ＳＴＰ１５）は、ＳＴＰ１４によって相互に関連付けられた店情報及び口コミ情報を、第一携帯端末６又は第二携帯端末７からの要求に応じて、要求を行った第一携帯端末６又は第二携帯端末７に送信するステップである。ＳＴＰ１５は、口コミ情報記録手段３５によって行われる。第一携帯端末６又は第二携帯端末７が、店情報及この店に対する口コミ情報の送信要求を行う手順については後述する。
【０１１３】
続いて、図１２〜図１８を参照して、当該アフィリエイトシステム３１の第一ユーザ及び第二ユーザ側からの動作手順を説明する。
【０１１４】
ユーザＩＤ記録ステップ（ＳＴＰ２１）は、第一携帯端末６の非接触ＩＣチップＩＤ及び第一ユーザ用リーダライタ３のリーダライタＩＤを相互に関連付けて記憶部２２に格納し、第二携帯端末７の非接触ＩＣチップＩＤ及び第二ユーザ用リーダライタ４のリーダライタＩＤを相互に関連付けて記憶部２２に格納するステップである。ＳＴＰ２１は、個体識別情報記録手段３４によって行われる。ＳＴＰ２１は、当該アフィリエイトシステム３１における必須のステップでない。当該アフィリエイトシステム３１は、第一携帯端末６の非接触ＩＣチップＩＤ及び第一ユーザ用リーダライタ３のリーダライタＩＤを相互に関連付けて記憶部２２に格納しておくことにより、第一携帯端末６及び第一ユーザ用リーダライタ３の近距離無線通信に基づき、第一携帯端末６に図１３のメニュー画面９１を容易に表示させることができる。また同様に、当該アフィリエイトシステム３１は、第二携帯端末７及び第二ユーザ用リーダライタ４のリーダライタＩＤを相互に関連付けて記憶部２２に格納しておくことにより、第二携帯端末７及び第二ユーザ用リーダライタ４の近距離無線通信に基づき、第二携帯端末７に図１３のメニュー画面を容易に表示させることができる。ＳＴＰ２１の動作手順は、ＳＴＰ１１と同様に行うことができるため説明を省略する。
【０１１５】
第一の個体識別情報記録ステップ（ＳＴＰ２２）は、第一携帯端末６の非接触ＩＣチップＩＤと、第一携帯端末６が店用リーダライタ５と近距離無線通信することにより受信する店用リーダライタ５のリーダライタＩＤとを第一携帯端末６から受信し、受信した第一携帯端末６の非接触ＩＣチップＩＤ及び店用リーダライタ５のリーダライタＩＤを相互に関連付けて記憶部２２に格納するステップである。また、ＳＴＰ２２は、受信した第一携帯端末６の非接触ＩＣチップＩＤ及び店用リーダライタ５のリーダライタＩＤとともに、店に対して口コミ情報を入力するための入力画面情報を相互に関連付けて記憶部２２に格納する。さらに、ＳＴＰ２２では、ＳＴＰ１２によって記録された店情報及びＳＴＰ１３によって記録されたクーポン情報を、受信した第一携帯端末６の非接触ＩＣチップＩＤ及び店用リーダライタ５のリーダライタＩＤと相互に関連付けて記憶部２２に格納する。ＳＴＰ２２は、個体識別情報記録手段３４により行われる。ＳＴＰ２２において、第一携帯端末６の非接触ＩＣチップＩＤ及び店用リーダライタ５のリーダライタＩＤ並びに口コミ情報を入力するための入力画面情報を相互に関連付けて記憶部２２に格納する手順はＳＴＰ１と同様であるため説明を省略する。また、ＳＴＰ２２において、第一携帯端末６の非接触ＩＣチップＩＤ及び店用リーダライタ５のリーダライタＩＤと、店情報並びにクーポン情報を相互に関連付けて記憶部２２に格納する手順も、第一携帯端末６の非接触ＩＣチップＩＤ及び店用リーダライタ５のリーダライタＩＤに口コミ情報を入力するための入力画面を相互に関連付けて記録する場合と同様に行うことができるため、説明を省略する。
【０１１６】
第一の口コミ情報記録ステップ（ＳＴＰ２３）は、ＳＴＰ２２によって記録された第一携帯端末６の非接触ＩＣチップＩＤと、第一携帯端末６が第一ユーザ用リーダライタ３と近距離無線通信することにより受信する第一ユーザ用リーダライタ３のリーダライタＩＤと、店に対する口コミ情報とを第一携帯端末６から受信し、受信した第一携帯端末６の非接触ＩＣチップＩＤ、第一ユーザ用リーダライタ３のリーダライタＩＤ及び口コミ情報を相互に関連付けて記憶部２２に格納するステップである。ＳＴＰ２３は、口コミ情報記録手段３５により行われる。
【０１１７】
ＳＴＰ２３に関し、第一携帯端末６から口コミ情報を入力する手順及びこの口コミ情報をサーバ３２に記録する手順について説明する。なお、以下の説明では、第一携帯端末６及び第一ユーザ用リーダライタ３の近距離無線通信に基づいて口コミ情報を記録する手順について説明する。
【０１１８】
第一ユーザは、第一携帯端末６と第一ユーザ用リーダライタ３とを近接させて第一ユーザ用リーダライタ３の送信スイッチを押す。これを受けて、第一携帯端末６と第一ユーザ用リーダライタ３とは近距離無線通信を行う。この近距離無線通信の結果、第一携帯端末６には、メニュー画面９１が表示される。なお、第一携帯端末６と第一ユーザ用リーダライタ３との近距離無線通信を起点としてメニュー画面９１が表示されるまでの手順は、ＳＴＰ１２及びＳＴＰ１３で説明した手順と同様である。
【０１１９】
図１３のメニュー画面９１は、口コミ情報登録部９２と、店検索部９３と、プロフィール交換部９４とを有している。
【０１２０】
口コミ情報登録部９２は、図１４の来店店舗一覧画面１０１を表示するためのリンクが貼られている。来店店舗一覧画面１０１は、ＳＴＰ２２により第一携帯端末６の非接触ＩＣチップＩＤと相互に関連付けられたリーダライタＩＤを有する店用リーダライタ５に関する店舗の名称が一覧として表示される。
【０１２１】
店検索部９３は、図１５の店検索画面１１１を表示するためのリンクが貼られている。
【０１２２】
プロフィール交換部９４は、プロフィール送信者表示部９４ａと、プロフィール受信者表示部９４ｂとを有している。
【０１２３】
プロフィール送信者表示部９４ａには、第二ユーザ用リーダライタ４によって第一携帯端末６と近距離無線通信を行った第二ユーザのニックネームが表示される。サーバ３２は、第一ユーザにより所望のニックネームが選択されることで、図１６のプロフィール画面１２１を表示する。
【０１２４】
プロフィール受信者表示部９４ｂには、第二携帯端末７によって第一ユーザ用リーダライタ３と近距離無線通信を行った第二ユーザのニックネームが表示される。
【０１２５】
図１４を参照して、口コミ情報の作成方法の一例について説明する。
【０１２６】
図１４（１）の来店店舗一覧画面１０１は、店舗名表示部１０２を有している。
【０１２７】
店舗名表示部１０２は、ＳＴＰ２２によって第一携帯端末６の非接触ＩＣチップＩＤと相互に関連付けられたリーダライタＩＤを有する店用リーダライタ５に関する店舗名が表示される。サーバ３２は、第一ユーザにより所望の店舗名が選択されると、選択された店に対応する図１４（２）の口コミ情報登録画面１０３を表示する。
【０１２８】
口コミ情報登録画面１０３は、店情報表示部１０４と、クーポン情報表示部１０５と、行きつけの店登録部１０６と、口コミ情報入力部１０７と、登録ボタン１０８と、来店履歴表示部１０９とを有している。
【０１２９】
店情報表示部１０４には、ＳＴＰ２２により第一携帯端末６の非接触ＩＣチップＩＤと関連付けられた店用リーダライタ５のリーダライタＩＤに対しＳＴＰ１２で相互に関連付けられた店情報が表示される。店情報表示部１０４には、図１０の店紹介画面７１に対応した画面が表示される。
【０１３０】
クーポン情報表示部１０５は、ＳＴＰ２２により第一携帯端末６の非接触ＩＣチップＩＤと関連付けられたクーポン情報が表示される。クーポン情報表示部１０５には、図１１のクーポン紹介画面８１に対応した画面が表示される。
【０１３１】
行きつけの店登録部１０６は、第一ユーザの選択に基づいて、店情報表示部１０４に表示されている店を行きつけの店としてサーバ３２に記録する。第一ユーザは、店情報表示部１０５に表示されている店を行きつけの店として登録したい場合、行きつけの店表示部１０６のうち「表示する」の欄をチェックして登録ボタン１０８を押す。これを受けて、口コミ情報記録手段３６は、互いに関連付けて記憶部２２に格納されている店用リーダライタ５のリーダライタＩＤ及び第一携帯端末６の非接触ＩＣチップＩＤに対応させてこの店が「行きつけの店」である旨を記録する。
【０１３２】
口コミ情報入力部１０７は、第一ユーザの入力内容に応じて、この店についての口コミ情報を作成する。口コミ情報記録手段３５は、第一ユーザにより口コミ情報入力部１０７に口コミ情報が入力され登録ボタン１０８が押されると、この口コミ情報を第一携帯端末６の非接触ＩＣチップＩＤと相互に関連付けて記憶部２２に格納する。また、口コミ情報記録手段３５は、第一ユーザにより、口コミ情報が作成され登録ボタン１０８が押されると、この口コミ情報を店ユーザによって作成された店情報と関連付けて記憶部２２に格納する。
【０１３３】
登録ボタン１０８は、第一ユーザに選択されることにより、行きつけの店登録部１０６及び口コミ情報入力部１０７に入力された情報をサーバ３２に送信する。
【０１３４】
来店履歴表示部１０９は、第一ユーザに選択されることで、第一ユーザがこの店に来店した履歴を表示する。この来店履歴は、第一携帯端末６と店用リーダライタ５とが近距離無線通信を行った履歴情報に基づいて表示される。
【０１３５】
なお、当該アフィリエイトシステム３１は、口コミ情報を一旦登録した後であっても、この口コミ情報を、口コミ情報登録画面１０３における入力又は選択を介して上書更新することができる。それ故、当該アフィリエイトシステム３１は、店ユーザの努力等に対応した最新の評価を提供することができる。また、当該アフィリエイトシステム３１は、同一店であっても、来店の都度新たな口コミ情報を作成できるように構成することで、この店ユーザ対する評価の変遷を提供することもできる。
【０１３６】
第二の個体識別情報記録ステップ（ＳＴＰ２４）は、第二携帯端末７の非接触ＩＣチップＩＤと、第二携帯端末７がＳＴＰ２３によりリーダライタＩＤを記録された第一ユーザ用リーダライタ３と近距離無線通信を行うことによって受信する第一ユーザ用リーダライタ３のリーダライタＩＤとを第二携帯端末得７から受信し、受信した第二携帯端末７の非接触ＩＣチップＩＤ及び第一ユーザ用リーダライタ３のリーダライタＩＤを相互に関連付けて記憶部２２に格納するステップである。ＳＴＰ２４は、個体識別情報記録手段３４により行われる。ＳＴＰ２４の動作手順はＳＴＰ３と同様であるため説明を省略する。
【０１３７】
アクセス判断ステップ（ＳＴＰ２５）は、ＳＴＰ３で記録された第二携帯端末７から口コミ情報へのアクセス履歴を第二携帯端末７の非接触ＩＣチップＩＤを用いて管理することで、第二携帯端末７から口コミ情報へのアクセスの有無を判断するステップである。ＳＴＰ２５は、アクセス判断手段２６によって行われる。
【０１３８】
ＳＴＰ２５について詳説する。なお、当該アフィリエイトシステム３１において、第一携帯端末６に表示される画面と第二携帯端末７に表示される画面は、原則として同じである。従って、以下の説明では、第一携帯端末６に表示される画面として説明した図１３〜１６を第二携帯端末７に表示される画面として説明する。
【０１３９】
また、第二ユーザは、所定のブックマーク等を利用することによって口コミ情報にアクセスすることもできる。ただし、以下では第二携帯端末７及び第二ユーザ用リーダライタ４の近距離無線通信に基づいて口コミ情報にアクセスする手順について説明する。
【０１４０】
第二ユーザは、第二携帯端末７と第二ユーザ用リーダライタ４とを近接させて第二ユーザ用リーダライタ４の送信スイッチを押す。これを受けて、第二携帯端末７と第二ユーザ用リーダライタ４とは近距離無線通信を行う。この近距離無線通信の結果、第二携帯端末７には、メニュー画面９１が表示される。なお、第二携帯端末７及び第二ユーザ用リーダライタ４との近距離無線通信乃至メニュー画面９１が表示されるまでの手順は、ＳＴＰ１２及びＳＴＰ１３で説明した手順と同様である。
【０１４１】
まず、第二ユーザは、プロフィール送信者表示部９４ａに表示される所望のニックネームを選択し、このニックネームを有する第一ユーザのプロフィール画面１２１を第二携帯端末７に表示させる。
【０１４２】
図１６のプロフィール画面１２１は、行きつけの店表示部１２２を有している。
【０１４３】
行きつけの店表示部１２２は、図１７の行きつけの店一覧画面１３１を表示するためのリンクが貼られている。
【０１４４】
行きつけの店一覧画面１３１は、行きつけの店一覧表示部１３２を有している。
【０１４５】
行きつけの店一覧表示部１３２には、プロフィール送信者表示部９４ａにおいて選択された第一ユーザが行きつけの店として登録している店情報の一覧が表示される。行きつけの店一覧表示部１３２に表示される各店情報には、行きつけの店画面１４１を表示するためのリンクが貼られている。
【０１４６】
図１８の行きつけの店画面１４１は、店情報表示部１４２と、口コミ情報表示部１４３とを有している。
【０１４７】
店情報表示部１４２は、店用端末８の操作を介してサーバ３２に登録された店情報が表示される。店情報表示部１４２には、具体的には、図９の店情報登録画面６１における入力情報に対応した画面が表示される。
【０１４８】
口コミ情報表示部１４３は、プロフィール送信者表示部９４ａにおいて選択された第一ユーザが、口コミ情報登録画面１０３における操作を介してサーバ３２に登録した口コミ情報が表示される。
【０１４９】
アクセス判断手段２６は、第二携帯端末７から行きつけの店画面１４１へアクセスされた場合、第二携帯端末７の非接触ＩＣチップＩＤを行きつけの店画面情報と関連付けて記憶部２２に格納する。また、アクセス判断手段２６は、行きつけの店画面情報と関連付けて記憶部２２に格納されている非接触ＩＣチップＩＤを調べ、第二携帯端末７の非接触ＩＣチップＩＤが存在していた場合、第二携帯端末７から行きつけの店画面１４１にアクセスがあったものと判断する。
【０１５０】
続いて、上述したＳＴＰ１５に関して、第二携帯端末７から店情報及び口コミ情報の送信要求を行う手順について説明する。店情報及び口コミ情報に対する送信要求は、店検索部９３を介して表示される店検索画面１１１における入力及び送信操作に基づいて行われる。
【０１５１】
図１５の店検索画面１１１は、店検索部１１２と、検索ボタン１１３と、口コミ検索部１１４と、検索ボタン１１５とを有している。
【０１５２】
店検索部１１２は、第二ユーザにより、場所、ジャンル、目的又はキーワードが入力又は選択されることで、第二ユーザが閲覧する店の絞り込みを行う。
【０１５３】
検索ボタン１１３は、所定の事項が店検索部１１２に入力された状態で選択されることにより、第二携帯端末７の表示部１５に、第二ユーザの絞り込みに応じた店一覧画面（図示せず）を表示する。この店一覧画面には、店用端末８により店情報登録画面６１における操作を介してサーバ３２に登録された店情報が、この店に関する口コミ情報と共に表示される。
【０１５４】
口コミ検索部１１４は、第二携帯端末７の非接触ＩＣチップＩＤと口コミ情報を介して相互に関連付けられている店情報を検索するために用いられる。口コミ検索部１１４は、第二ユーザにより、場所、ジャンル、目的、ユーザ又はキーワードが入力又は選択されることで、口コミ情報と関連付けられている店についての絞り込みを行う。
【０１５５】
検索ボタン１１５は、所定の事項が口コミ検索部１１４に入力された状態で選択されることにより、口コミ店一覧画面（図示せず）を表示する。口コミ店一覧画面には、第二携帯端末７の非接触ＩＣチップＩＤと口コミ情報を介して関連付けられている店舗名の一覧が、絞り込み内容に応じて表示される。第二ユーザは、口コミ店一覧画面において表示されるうちの所望の店舗名を選択することで、この店に関する店紹介画面７１、及びこの店に関し、第二携帯端末７の非接触ＩＣチップＩＤと関連付けられている口コミ情報を閲覧することができる。
【０１５６】
来店情報記録ステップ（ＳＴＰ２６）は、ＳＴＰ２４によって記録された第二携帯端末７の非接触ＩＣチップＩＤと、第二携帯端末７が店用リーダライタ５と近距離無線通信することにより受信する店用リーダライタ５のリーダライタＩＤとを第二携帯端末７から受信し、受信した第二携帯端末７の非接触ＩＣチップＩＤ及び店用リーダライタ５のリーダライタＩＤを相互に関連付けて記憶部２２に格納するステップである。また、ＳＴＰ２６は、第二携帯端末７に対して、店で飲食や買い物等をした清算金額情報を送信し、この清算金額に対する認証情報を第二携帯端末７から受信したうえで、この認証情報を第二携帯端末７の非接触ＩＣチップＩＤ及び店用リーダライタ５のリーダライタＩＤと相互に関連付けて記憶部２２に格納するステップである。ＳＴＰ５は、来店情報記録手段３６によって行われる。
【０１５７】
支払報酬ステップ（ＳＴＰ２７）は、ＳＴＰ２６によって記録された第二携帯端末７から口コミ情報に対するアクセスが確認された場合に、ＳＴＰ２２により記録された第一携帯端末６の非接触ＩＣチップＩＤにより特定される第一ユーザに対して、ＳＴＰ２６によって記録された認証情報に対応したアフィリエイト報酬支払手続を行うステップである。ＳＴＰ２６は、報酬支払手段３７により行われる。
【０１５８】
ＳＴＰ２６及びＳＴＰ２７の動作手順について具体的に説明する。
【０１５９】
まず、ＳＴＰ２４により非接触ＩＣチップＩＤを記録された第二携帯端末７を保有する第二ユーザが、店での飲食や買い物の後、店ユーザに対してこの店での精算要求を行う。これを受けて、店ユーザは、ポスレジ等の精算装置に清算金額を打ち込む。第二ユーザは、第二携帯端末７及び店用リーダライタ５を近距離無線通信させ、第二携帯端末７によりサーバ３２の所定のページにアクセスする。来店情報記録手段３６は、第二携帯端末７及び店用リーダライタ５の近距離無線通信に基づき、第二携帯端末７から第二携帯端末７の非接触ＩＣチップＩＤ及び店用リーダライタ５のリーダライタＩＤを受信すると、精算装置で入力された清算金額を第二携帯端末７に送信する。さらに、来店情報記録手段３６は、第二携帯端末７からこの清算金額に対する認証情報を受信すると、この認証情報（清算金額情報）を第二携帯端末７の非接触ＩＣチップＩＤ及び店用リーダライタ５のリーダライタＩＤと相互に関連付けて記憶部２２に格納する。
【０１６０】
報酬支払手段３７は、アクセス判断手段２６によって口コミ情報へのアクセスが確認され、かかるアクセスの後、来店情報記録手段３６によって店用リーダライタ５のリーダライタＩＤと相互に関連付けられた第二携帯端末７の非接触ＩＣチップＩＤを店毎に整理する。また、報酬支払手段３７は、アクセス判断手段２６によってアクセスが確認された口コミ情報に対し、ＳＴＰ２３により相互に関連付けて記録された非接触ＩＣチップＩＤを有する第一携帯端末６を特定する。さらに、報酬支払手段３７は、来店情報記録手段３６によって記録された清算金額に対する認証情報を第一ユーザ毎にまとめる。報酬支払手段３７は、第一携帯端末６の非接触ＩＣチップＩＤにより特定される第一ユーザを、来店した第二ユーザに対する口コミ情報提供者であると判断し、第二ユーザの清算金額に応じて予め定められたアフィリエイト報酬の支払手続を行う。加えて、報酬支払手段３７は、店ユーザに対して、第二ユーザの清算金額に応じて予め決められた額の徴収手続を行う。報酬支払手段３７は、第一ユーザに対する報酬支払手続及び店ユーザに対する徴収手続を通常定期的（例えば、１回／月）に行う。報酬支払手段３７は、第二ユーザに対して複数の第一ユーザが口コミ情報を提供していた場合、これらの第一ユーザ全員に対してアフィリエイト報酬支払手続を行ってもよく、例えば直近の口コミ情報提供者等、所定の第一ユーザにのみ報酬支払手続を行ってもよい。また、報酬支払手段３７は、第二ユーザが複数回店に訪れていた場合、第一ユーザに対し、第二ユーザの来店回数に対応したアフィリエイト報酬支払手続を行ってもよい。当該アフィリエイトシステム３１は、第二ユーザの来店回数に応じたアフィリエイト報酬支払手続を行うようにすれば、口コミ情報提供に対する第一ユーザのインセンティブを向上させることができる。
【０１６１】
当該アフィリエイトシステム３１は、第一ユーザ用リーダライタ３と近距離無線通信を行った第二ユーザ以外でも、店情報及びこの店に関する第一ユーザの口コミ情報を閲覧することができる。その結果、当該アフィリエイトシステム３１は、店ユーザにおいて、さらに効率的な店アピールを行うことができる。また、当該アフィリエイトシステム３１は、第一ユーザ又は第二ユーザにとっても、信憑性の高い口コミ情報を容易かつ広範に参照することができる。
【０１６２】
当該アフィリエイトシステム３１は、個体識別情報記録手段３４が店情報を第一携帯端末６の非接触ＩＣチップＩＤ及び店用リーダライタ５のリーダライタＩＤと相互に関連付けて記録するので、第一ユーザは、自分が訪れた店に関する店情報を容易に確認することができる。また、当該アフィリエイトシステム３１は、第一ユーザが容易に店情報を参照しながら口コミ情報を作成することができるので、精度の高い口コミ情報を作成することができる。
【０１６３】
当該アフィリエイトシステム３１は、第一ユーザに固有のクーポン券を発券することができる。その結果、当該アフィリエイトシステム３１は、第一ユーザの来店意識を高めることができるとともに、リピータの獲得率を向上させることができる。
【０１６４】
当該アフィリエイトシステム３１は、第二ユーザの清算金額に対応して容易にアフィリエイト報酬額を決定することができる。
【０１６５】
当該アフィリエイトシステム３１は、第二ユーザは、第一ユーザが行きつけの店として登録した店に関する口コミ情報のみを閲覧することができるので、第一ユーザおすすめの店を容易に検索することができる。また、当該アフィリエイトシステム３１は、第二ユーザに対して、第一ユーザが行きつけの店として登録した店に関する口コミ情報のみを閲覧させることにより、評価の高い店を効果的にピックアップすることができ、ひいては真の優良店を浮かび上がらせることができる。
【０１６６】
なお、当該アフィリエイトシステムは、上記態様の他、種々の変更、改良を施した態様で実施することができる。例えば、口コミ情報の情報源（第一ユーザ）から来店者（第二ユーザ）までの間を一又は複数のユーザが仲介していてもよい。また、この場合、当該アフィリエイトシステムは、口コミ情報の情報源及び／又は仲介者に対して、所定のアフィリエイト報酬を分配するようにしてもよい。これにより、当該アフィリエイトシステムは、店の広告機能をさらに高めることができる。
【０１６７】
当該アフィリエイトシステムは、口コミ情報を閲覧した店が「行ってみたい店」として登録されるようにしてもよい。これにより、第二ユーザ側において、どの店がアフィリエイトの対象に含まれるのかを容易に判別することができる。
【０１６８】
また、当該アフィリエイトシステムは、アフィリエイト報酬をポイント、固有のサービス等によって支払うようにしてもよい。これにより、報酬を受け取った第一ユーザの来店を促すことができる。当該アフィリエイトシステムは、アフィリエイト報酬の支払を所定の期間毎に行う必要はなく、例えば来店時毎に行ってもよい。
【０１６９】
当該アフィリエイトシステムは、第一携帯端末の個体識別情報とクーポン情報とを口コミ情報の記録後に関連付けてもよい。これにより、第一ユーザの口コミ情報の作成に対するインセンティブを向上させることができる。
【０１７０】
当該アフィリエイトシステムは、第一ユーザと第二ユーザとをＱＲコードによって相互に関連付けることもできる。また、第一ユーザと第二ユーザとの関連づけは、サーバへのメールの送受信を介して行うこともできる。
【０１７１】
当該アフィリエイトシステムの対象となる店としては、飲食店の他、服飾や電化製品等の小売店、美容院、宿泊施設等、種々の分野に応用できることは勿論である。
【産業上の利用可能性】
【０１７２】
以上説明したように、本発明のアフィリエイトシステム及びアフィリエイト方法並びにサーバは、店を探したいユーザにとっては、実際に店を使用した知り合い等による信憑性の高い口コミ情報に基づいて所望の店を見つけることができ、他方、この口コミ情報を提供した者はアフィリエイト報酬を得ることができるので、飲食店、美容院、その他種々の分野における店の検索や広告に適している。
【符号の説明】
【０１７３】
１  アフィリエイトシステム
２  ネットワーク
３  第一ユーザ用リーダライタ
４  第二ユーザ用リーダライタ
５  店用リーダライタ
６  第一携帯端末
７  第二携帯端末
８  店用端末
９  サーバ
１０  通信部
１１  通信制御部
１２  記憶部
１３  通信部
１４  入力部
１５  表示部
１６  制御部
１７  記憶部
１８  通信制御手段
１９  非接触ＩＣチップ
２０  通信部
２１  制御部
２２  記憶部
２３  通信制御手段
２４  個体識別情報記録手段
２５  口コミ情報記録手段
２６  アクセス判断手段
２７  来店情報記録手段
２８  報酬支払手段
３１  アフィリエイトシステム
３２  サーバ
３３  制御部
３４  個体識別情報記録手段
３５  口コミ情報記録手段
３６  来店情報記録手段
３７  報酬支払手段
３８  店情報記録手段
３９  クーポン情報記録手段
４１  メニュー画面
４２  店紹介画面プレビュー部
４３  クーポン画面プレビュー部
４４  店紹介画面登録部
４５  画像登録・削除部
５１  画像登録画面
５２  画像登録部
５３  画像削除部
５４  画像削除画面
５５  削除画像表示部
５６  削除画像選択部
５７  削除ボタン
６１  店情報登録画面
６２  店画像選択部
６３  文言設定部
６４  クーポン画像選択部
６５  クーポン文言設定部
６６  登録ボタン
７１  店紹介画面
７２  店画像表示部
７３  文言表示部
８１  クーポン紹介画面
８２  クーポン画像表示部
８３  クーポン文言表示部
９１  メニュー画面
９２  口コミ情報登録部
９３  店検索部
９４  プロフィール交換部
１０１  来店店舗一覧画面
１０２  店舗名表示部
１０３  口コミ情報登録画面
１０４  店情報表示部
１０５  クーポン情報表示部
１０６  行きつけの店登録部
１０７  口コミ情報入力部
１０８  登録ボタン
１０９  来店履歴表示部
１１１  店検索画面
１１２  店検索部
１１３  検索ボタン
１１４  口コミ検索部
１１５  検索ボタン
１２１  プロフィール画面
１２２  行きつけの店表示部
１３１  行きつけの店一覧画面
１３２  行きつけの店一覧表示部
１４１  行きつけの店画面
１４２  店情報表示部
１４３  口コミ情報表示部
【図１】
2012093805.tif 000003
【図２】
2012093805.tif 000004
【図３】
2012093805.tif 000005
【図４】
2012093805.tif 000006
【図５】
2012093805.tif 000007
【図６】
2012093805.tif 000008
【図７】
2012093805.tif 000009
【図８】
2012093805.tif 000010
【図９】
2012093805.tif 000011
【図１０】
2012093805.tif 000012
【図１１】
2012093805.tif 000013
【図１２】
2012093805.tif 000014
【図１３】
2012093805.tif 000015
【図１４】
2012093805.tif 000016
【図１５】
2012093805.tif 000017
【図１６】
2012093805.tif 000018
【図１７】
2012093805.tif 000019
【図１８】
2012093805.tif 000020
【手続補正書】
【提出日】平成23年10月19日(2011.10.19)
【手続補正１】
【補正対象書類名】特許請求の範囲
【補正対象項目名】全文
【補正方法】変更
【補正の内容】
【特許請求の範囲】
【請求項１】
携帯可能なユーザ用リーダライタと、
上記ユーザ用リーダライタと無線により通信可能な第一携帯端末と、
上記ユーザ用リーダライタと無線により通信可能な第二携帯端末と、
店に設置され、上記第一携帯端末及び上記第二携帯端末と無線により通信可能な店用リーダライタと、
上記第一携帯端末及び第二携帯端末と無線により通信可能なサーバと
を備えるアフィリエイトシステムであって、
上記サーバが、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録手段と、
上記第一の個体識別情報記録手段によって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録手段と、
上記第二携帯端末の個体識別情報と、この第二携帯端末が上記第一の口コミ情報記録手段によって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録手段と、
上記第二の個体識別情報記録手段によって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断手段と、
上記第二の個体識別情報記録手段によって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録手段と、
上記来店情報記録手段によって記録された上記第二携帯端末からの上記口コミ情報に対するアクセスが確認された場合に、上記第一の口コミ情報記録手段により記録された上記第一携帯端末の個体識別情報により特定されるユーザに対してアフィリエイト報酬支払手続を行う報酬支払手段と
を有するアフィリエイトシステム。
【請求項２】
上記第一の個体識別情報記録手段が、上記店用リーダライタの個体識別情報及び上記第一携帯端末の個体識別情報とともに、店に対して口コミ情報を入力するための入力画面情報を相互に関連付けて記録し、
上記第一の口コミ情報記録手段が、上記入力画面情報をもとに上記第一携帯端末に生成される入力画面に対する上記第一携帯端末からの入力情報に基づいた口コミ情報を受信する請求項１に記載のアフィリエイトシステム。
【請求項３】
上記サーバが、
店情報を記録する店情報記録手段と、
上記店情報と、上記第一の口コミ情報記録手段によって記録された一又は複数の口コミ情報とを相互に関連付けて記録する第二の口コミ情報記録手段と、
上記第二の口コミ情報記録手段によって記録された上記店情報及び上記一又は複数の口コミ情報を上記第一携帯端末及び上記第二携帯端末に送信する店情報送信手段とを有する請求項１又は請求項２に記載のアフィリエイトシステム。
【請求項４】
上記第一の個体識別情報記録手段が、上記店情報を上記第一携帯端末の個体識別情報及び上記店用リーダライタの個体識別情報と相互に関連付けて記録する請求項３に記載のアフィリエイトシステム。
【請求項５】
上記サーバが、クーポン情報を記録するクーポン情報記録手段を有し、
上記第一の個体識別情報記録手段が、上記クーポン情報を上記第一携帯端末の個体識別情報及び上記店用リーダライタの個体識別情報と相互に関連付けて記録する請求項１から請求項４のいずれか１項に記載のアフィリエイトシステム。
【請求項６】
上記来店情報記録手段が、上記第二携帯端末の個体識別情報及び上記店用リーダライタの個体識別情報を受信した上記第二携帯端末に対して上記店での清算金額情報を送信し、上記清算金額の認証情報を上記第二携帯端末から受信してこの認証情報を上記第二携帯端末の個体識別情報及び上記店用リーダライタの個体識別情報と相互に関連付けて記録し、
上記報酬支払手段が、上記来店情報記録手段によって記録された認証情報に対応したアフィリエイト報酬額を定める請求項１から請求項５のいずれか１項に記載のアフィリエイトシステム。
【請求項７】
携帯可能なユーザ用リーダライタと、
上記ユーザ用リーダライタと無線により通信可能な第一携帯端末と、
上記ユーザ用リーダライタと無線により通信可能な第二携帯端末と、
店に設置され、上記第一携帯端末及び上記第二携帯端末と無線により通信可能な店用リーダライタと、
上記第一携帯端末及び第二携帯端末と無線により通信可能なサーバと
を備えたアフィリエイトシステムにおける上記サーバの動作方法であって、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録ステップと、
上記第一の個体識別情報記録ステップによって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録ステップと、
上記第二携帯端末の個体識別情報と、この第二携帯端末が上記第一の口コミ情報記録ステップによって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録ステップと、
上記第二の個体識別情報記録ステップによって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断ステップと、
上記第二の個体識別情報記録ステップによって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録ステップと、
上記来店情報記録ステップによって記録された上記第二携帯端末からの上記口コミ情報に対するアクセスが確認された場合に、上記第一の口コミ情報記録ステップにより記録された上記第一携帯端末の個体識別情報により特定されるユーザに対してアフィリエイト報酬支払手続を行う報酬支払ステップと
を実行するサーバの動作方法。
【請求項８】
携帯可能なユーザ用リーダライタ及び店用リーダライタと無線により通信可能な第一携帯端末と無線により通信することができるとともに、上記ユーザ用リーダライタ及び店用リーダライタと無線により通信可能な第二携帯端末と無線により通信することができるサーバであって、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録手段と、
上記第一の個体識別情報記録手段によって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録手段と、
上記第二携帯端末の個体識別情報と、この第二携帯端末が上記第一の口コミ情報記録手段によって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録手段と、
上記第二の個体識別情報記録手段によって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断手段と、
上記第二の個体識別情報記録手段によって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録手段と、
上記来店情報記録手段によって記録された上記第二携帯端末からの上記口コミ情報に対するアクセスが確認された場合に、上記第一の口コミ情報記録手段により記録された上記第一携帯端末の個体識別情報により特定されるユーザに対してアフィリエイト報酬支払手続を行う報酬支払手段と
を有するサーバ。
【手続補正２】
【補正対象書類名】明細書
【補正対象項目名】００１２
【補正方法】変更
【補正の内容】
【００１２】
上記課題を解決するためになされた発明は、
携帯可能なユーザ用リーダライタと、
上記ユーザ用リーダライタと無線により通信可能な第一携帯端末と、
上記ユーザ用リーダライタと無線により通信可能な第二携帯端末と、
店に設置され、上記第一携帯端末及び上記第二携帯端末と無線により通信可能な店用リーダライタと、
上記第一携帯端末及び第二携帯端末と無線により通信可能なサーバと
を備えるアフィリエイトシステムであって、
上記サーバが、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録手段と、
上記第一の個体識別情報記録手段によって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録手段と、
上記第二携帯端末の個体識別情報と、この第二携帯端末が上記第一の口コミ情報記録手段によって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録手段と、
上記第二の個体識別情報記録手段によって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断手段と、
上記第二の個体識別情報記録手段によって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録手段と、
上記来店情報記録手段によって記録された上記第二携帯端末からの上記口コミ情報に対するアクセスが確認された場合に、上記第一の口コミ情報記録手段により記録された上記第一携帯端末の個体識別情報により特定されるユーザに対してアフィリエイト報酬支払手続を行う報酬支払手段と
を有するアフィリエイトシステムである。
【手続補正３】
【補正対象書類名】明細書
【補正対象項目名】００１９
【補正方法】変更
【補正の内容】
【００１９】
また、上記課題を解決するためになされた別の発明は、
携帯可能なユーザ用リーダライタと、
上記ユーザ用リーダライタと無線により通信可能な第一携帯端末と、
上記ユーザ用リーダライタと無線により通信可能な第二携帯端末と、
店に設置され、上記第一携帯端末及び上記第二携帯端末と無線により通信可能な店用リーダライタと、
上記第一携帯端末及び第二携帯端末と無線により通信可能なサーバと
を備えたアフィリエイトシステムにおける上記サーバの動作方法であって、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録ステップと、
上記第一の個体識別情報記録ステップによって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録ステップと、
上記第二携帯端末の個体識別情報と、この第二携帯端末が上記第一の口コミ情報記録ステップによって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録ステップと、
上記第二の個体識別情報記録ステップによって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断ステップと、
上記第二の個体識別情報記録ステップによって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録ステップと、
上記来店情報記録ステップによって記録された上記第二携帯端末からの上記口コミ情報に対するアクセスが確認された場合に、上記第一の口コミ情報記録ステップにより記録された上記第一携帯端末の個体識別情報により特定されるユーザに対してアフィリエイト報酬支払手続を行う報酬支払ステップと
を実行するサーバの動作方法である。
【手続補正４】
【補正対象書類名】明細書
【補正対象項目名】００２０
【補正方法】変更
【補正の内容】
【００２０】
当該動作方法によると、第二携帯端末のユーザが、第二携帯端末とユーザ用リーダライタとの無線通信に基づいて第一携帯端末のユーザの口コミ情報を得ることができる。従って、当該動作方法によると、第二携帯端末のユーザが、情報源の特定された口コミ情報を容易に取得することができる。また、当該動作方法によると、実際に店を利用した第一携帯端末のユーザが口コミ情報の情報源となるので、信憑性の高い情報を得ることができる。当該動作方法は、実際に店を訪れた第二携帯端末のユーザに対して口コミ情報を提供した第一携帯端末のユーザにアフィリエイト報酬を支払うので、第一携帯端末のユーザに対して口コミ情報を提供するためのインセンティブを与えることができる。
【手続補正５】
【補正対象書類名】明細書
【補正対象項目名】００２１
【補正方法】変更
【補正の内容】
【００２１】
さらに、上記課題を解決するためになされた別の発明は、
携帯可能なユーザ用リーダライタ及び店用リーダライタと無線により通信可能な第一携帯端末と無線により通信することができるとともに、上記ユーザ用リーダライタ及び店用リーダライタと無線により通信可能な第二携帯端末と無線により通信することができるサーバであって、
上記第一携帯端末の個体識別情報と、この第一携帯端末が上記店用リーダライタと無線通信することにより取得される上記店用リーダライタの個体識別情報とを上記第一携帯端末から受信し、受信した上記第一携帯端末の個体識別情報及び上記店用リーダライタの個体識別情報を相互に関連付けて記録する第一の個体識別情報記録手段と、
上記第一の個体識別情報記録手段によって記録された上記第一携帯端末の個体識別情報と、この第一携帯端末が上記ユーザ用リーダライタと無線通信することにより取得される上記ユーザ用リーダライタの個体識別情報と、上記店に対する口コミ情報とを上記第一携帯端末から受信し、受信した上記第一携帯端末の個体識別情報、上記ユーザ用リーダライタの個体識別情報及び上記口コミ情報を相互に関連付けて記録する第一の口コミ情報記録手段と、
上記第二携帯端末の個体識別情報と、この第二携帯端末が上記第一の口コミ情報記録手段によって個体識別情報を記録されたユーザ用リーダライタと無線通信することにより取得される上記ユーザ用リーダライタの個体識別情報とを上記第二携帯端末から受信し、受信した上記第二携帯端末の個体識別情報及び上記ユーザ用リーダライタの個体識別情報を相互に関連付けて記録する第二の個体識別情報記録手段と、
上記第二の個体識別情報記録手段によって個体識別情報を記録された上記第二携帯端末から上記口コミ情報へのアクセス履歴を上記第二携帯端末の個体識別情報を用いて管理することにより、上記第二携帯端末から上記口コミ情報へのアクセスの有無を判断するアクセス判断手段と、
上記第二の個体識別情報記録手段によって記録された上記第二携帯端末の個体識別情報と、この第二携帯端末が上記店用リーダライタと無線通信することにより取得される上記店用リーダライタの個体識別情報とを上記第二携帯端末から受信し、受信した上記第二携帯端末の個体識別情報及び上記店用リーダライタの個体識別情報を相互に関連付けて記録する来店情報記録手段と、
上記来店情報記録手段によって記録された上記第二携帯端末からの上記口コミ情報に対するアクセスが確認された場合に、上記第一の口コミ情報記録手段により記録された上記第一携帯端末の個体識別情報により特定されるユーザに対してアフィリエイト報酬支払手続を行う報酬支払手段と
を有するサーバである。